(57)【要約】【課題】第２の画像形成装置が第１の画像形成装置の電子文書の検索と印刷に対する特有の機能を備えてしない場合でも、第１の画像形成装置が備える電子文書の検索と印刷に対する特有の機能を利用した印刷処理を行えるシステムを自在に構築することである。【解決手段】画像形成装置１００と、画像形成装置１０１とが通信可能な画像形成システムにおいて、画像形成装置１０１が備えるスキャナユニット２１０により読み取られる原稿の画像情報を画像形成装置１００に送信し、該画像情報を解析して、画像情報に含まれている識別情報に基づいて記憶されている電子文書を検索し、該検索された電子文書を画像形成装置１０１の印刷部が印刷可能な印刷データに変換して転送し、該変換された印刷データを画像形成装置１０１のプリンタ装置３００で印刷させる構成を特徴とする。【選択図】図１
2006059130.tif 000002
【特許請求の範囲】
【請求項１】
第１の画像形成装置と、第２の画像形成装置とが通信可能な画像形成システムであって、
前記第２の画像形成装置は、
原稿を読み取る読取り手段と、
前記読取り手段で読み取られた原稿の画像情報を前記第１の画像形成装置に送信する送信手段と、
前記第１の画像形成装置から転送される印刷データを印刷部で印刷させる制御手段とを有し、
前記第１の画像形成装置は、
原稿を読み取る読取り手段と、
前記読取り手段で読み取られた原稿の画像情報を解析して、前記画像情報に含まれている識別情報に対応する電子文書を検索する検索手段と、
前記検索手段で検索された電子文書を印刷部が印刷可能な印刷データに変換する変換手段とを有し、
前記第１の画像形成装置は、前記第２の画像形成装置からの画像情報に基づいて、前記検索手段によって原稿の画像情報を解析し、識別情報に対応する電子文書を検索し、前記変換手段によって該検索された電子文書を前記第２の画像形成装置の印刷部が印刷可能な印刷データに変換し、該印刷データを前記第２の画像形成装置に転送するサービス機能を備えることを特徴とする画像形成システム。
【請求項２】
第１の画像形成装置と、第２の画像形成装置と、外部情報機器とが通信可能な画像形成システムであって、
前記第２の画像形成装置は、
原稿を読み取る読取り手段と、
前記読取り手段で読み取られた原稿の原稿情報を前記第１の画像形成装置に送信する送信手段と、
前記第１の画像形成装置から転送される印刷データを印刷部で印刷させる制御手段とを有し、
前記第１の画像形成装置は、
原稿を読み取る読取り手段と、
前記読取り手段で読み取られた原稿の画像情報を解析して、前記画像情報に含まれている識別情報に対応する電子文書を検索する検索手段と、
前記第２の画像形成装置からの画像情報に基づいて、前記検索手段によって原稿の画像情報を解析し、識別情報に対応する電子文書を検索し、該検索された電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行手段とを有し、
前記外部情報機器は、前記第１の画像形成装置からの変換処理の要求に基づいて前記電子文書を前記第１の画像形成装置の印刷部が印刷可能な印刷データへ変換する変換手段と、
前記変換手段により変換された印刷データを前記第１の画像形成装置に転送する転送手段と、
を備えることを特徴とする画像形成システム。
【請求項３】
第１の画像形成装置と、第２の画像形成装置と、文書管理サーバとが通信可能な画像形成システムであって、
前記第２の画像形成装置は、
原稿を読み取る読取り手段と、
前記読取り手段で読み取られた原稿の画像情報を前記第１の画像形成装置に送信する送信手段と、
前記第１の画像形成装置から転送される印刷データを印刷部で印刷させる制御手段とを有し、
文書管理サーバは、
画像情報に含まれている識別情報に対応する電子文書を検索する検索手段と、
前記検索手段で検索された電子文書を前記第１の画像形成装置に転送する転送手段とを備え、
前記第１の画像形成装置は、
原稿を読み取る読取り手段と、
前記読取り手段により読み取られた原稿の画像情報に基づいて、前記文書管理サーバに対して、電子文書検索要求を行う要求手段と、
前記文書管理サーバから取得される検索された電子文書を印刷部が印刷可能な印刷データに変換する変換手段とを有し、
前記第１の画像形成装置は、前記第２の画像形成装置からの画像情報を解析し、前記要求手段によって画像情報に含まれている識別情報に対応する電子文書の検索を前記文書管理サーバに要求し、前記文書管理サーバから転送された電子文書を前記変換手段により前記第１の画像形成装置の印刷部が印刷可能な印刷データに変換して、該印刷データを前記第２の画像形成装置に転送するサービス機能を有することを特徴とする画像形成システム。
【請求項４】
第１の画像形成装置と、第２の画像形成装置と、文書管理サーバと、外部情報機器とが通信可能な画像形成システムであって、
前記第２の画像形成装置は、
原稿を読み取る読取り手段と、
前記読取り手段で読み取られた原稿の画像情報を前記第１の画像形成装置に送信する送信手段と、
前記第１の画像形成装置から転送される印刷データを印刷部で印刷させる制御手段とを有し、
文書管理サーバは、
画像情報に含まれている識別情報に対応する電子文書を検索する検索手段と、
前記検索手段で検索された電子文書を前記第１の画像形成装置に転送する転送手段とを備え、
前記第１の画像形成装置は、
原稿を読み取る読取り手段と、
前記読取り手段により読み取られた原稿の画像情報に基づいて、前記文書管理サーバに対して、電子文書検索要求を行う要求手段と、
前記第２の画像形成装置からの画像情報を解析し、前記要求手段によって画像情報に含まれている識別情報に対応する電子文書の検索を前記文書管理サーバに要求し、前記文書管理サーバで検索される電子文書を取得して、該電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行手段とを備え、
前記外部情報機器は、
前記第１の画像形成装置からの変換処理の要求に基づいて前記電子文書を前記第１の画像形成装置の印刷部が印刷可能な印刷データへ変換する変換手段と、
前記変換手段により変換された印刷データを前記第１の画像形成装置に転送する転送手段と、
を備えることを特徴とする画像形成システム。
【請求項５】
前記第１の画像形成装置が備える前記印刷部は、電子文書を検索し、該検索された電子文書を前記第１の画像形成装置の印刷部が印刷可能な印刷データに変換するための指示を行うサービス要求シートを印刷することを特徴とする請求項１〜４のいずれかに記載の画像形成システム。
【請求項６】
他の画像形成装置と通信可能な画像形成装置であって、
原稿を読み取る読取り手段と、前記読取り手段によって読み取られた原稿の画像情報を解析して、画像情報に含まれている識別情報に対応する電子文書を検索する検索手段と、前記検索手段で検索された電子文書を印刷部が印刷可能な印刷データに変換する変換手段とを有し、
前記他の画像形成装置からの画像情報に基づいて、前記検索手段によって電子文書を検索し、前記変換手段によって該検索された電子文書を前記印刷部が印刷可能な印刷データに変換して、該印刷データを前記他の画像形成装置に転送するサービス機能を備えることを特徴とする画像形成装置。
【請求項７】
外部情報機器と、他の画像形成装置と通信可能な画像形成装置であって、
原稿を読み取る読取り手段と、前記読取り手段で読み取られた原稿の画像情報を解析して、前記画像情報に含まれている識別情報に対応する電子文書を検索する検索手段と、
前記他の画像形成装置からの画像情報に基づいて、電子文書を検索し、該検索された電子文書を前記他の画像形成装置が印刷可能な印刷データへの変換処理を外部情報機器に要求し、前記外部情報機器から変換された前記他の画像形成装置が印刷可能な印刷データを取得して、該印刷データを前記他の画像形成装置に転送するサービス機能代行手段と、
を備えることを特徴とする画像形成装置。
【請求項８】
文書管理サーバと、他の画像形成装置と通信可能な画像形成装置であって、
原稿を読み取る読取り手段と、
前記文書管理サーバから取得される電子文書を印刷部が印刷可能な印刷データに変換する変換手段と、
前記他の画像形成装置からの画像情報に基づいて、前記文書管理サーバに対して、電子文書検索要求を行う要求手段と、
前記文書管理サーバによって検索された電子文書を前記変換手段により前記他の画像形成装置の印刷部が印刷可能な印刷データに変換して転送するサービス機能代行手段と、
を有することを特徴とする画像形成装置。
【請求項９】
外部情報機器と、文書管理サーバと、他の画像形成装置と通信可能な画像形成装置であって、
原稿を読み取る読取り手段と、
前記他の画像形成装置からの画像情報に基づいて、文書管理サーバに対して、電子文書検索要求を行う要求手段と、
前記文書管理サーバで検索される電子文書を取得して、該電子文書を前記他の画像形成装置の印刷部が印刷可能な印刷データへの変換処理を外部情報機器に要求し、前記外部情報機器から前記他の画像形成装置の印刷部が印刷可能な印刷データを取得して、該印刷データを前記他の画像形成装置に転送するサービス機能代行手段と、
備えることを特徴とする画像形成装置。
【請求項１０】
第１の画像形成装置と、第２の画像形成装置とが通信可能な画像形成システムにおける文書処理方法であって、
原稿を読み取る原稿読取り手段を備える前記第２の画像形成装置は、
前記原稿読取り手段で読み取られた原稿の画像情報を前記第１の画像形成装置に送信する送信ステップと、
前記第１の画像形成装置から転送される印刷データを印刷部で印刷させる制御ステップとを有し、
原稿を読み取る原稿読取り手段を備える前記第１の画像形成装置は、
前記原稿読取り手段で読み取られた原稿の画像情報を解析して、前記画像情報が含まれている識別情報に対応する電子文書を検索する検索ステップと、
前記検索ステップで検索された電子文書を印刷部が印刷可能な印刷データに変換する変換ステップと、
前記第１の画像形成装置は、前記第２の画像形成装置からの画像情報に基づいて、前記検索ステップによって該検索された電子文書を前記第２の画像形成装置の印刷部が印刷可能な印刷データに変換し、該印刷データを前記第２の画像形成装置に転送するサービス機能を備えることを特徴とする文書処理方法。
【請求項１１】
第１の画像形成装置と、第２の画像形成装置と、外部情報機器とが通信可能な画像形成システムにおける文書処理方法であって、
原稿を読み取る原稿読取り手段を備える前記第２の画像形成装置は、
前記原稿読取り手段で読み取られた原稿の原稿情報を前記第１の画像形成装置に送信する送信ステップと、
前記第１の画像形成装置から転送される印刷データを印刷部で印刷させる制御ステップとを有し、
原稿を読み取る原稿読取り手段を備える前記第１の画像形成装置は、
前記原稿読取り手段で読み取られた原稿の画像情報を解析して、前記画像情報に含まれている識別情報に対応する電子文書を検索する検索ステップと、
前記第２の画像形成装置からの画像情報に基づいて、前記検索ステップによって原稿の画像情報を解析し、識別情報に対応する電子文書を検索し、該検索された電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行ステップとを有し、
前記外部情報機器は、前記第１の画像形成装置から変換処理の要求に基づいて前記電子文書を前記第１の画像形成装置の印刷部が印刷可能な印刷データへ変換する変換ステップと、
前記変換ステップにより変換された印刷データを前記第１の画像形成装置に転送する転送ステップと、
を備えることを特徴とする文書処理方法。
【請求項１２】
第１の画像形成装置と、第２の画像形成装置と、文書管理サーバとが通信可能な画像形成システムにおける文書処理方法であって、
原稿を読み取る原稿読み取り手段を備える前記第２の画像形成装置は、
前記原稿読取り手段で読み取られた原稿の画像情報を第１の画像形成装置に送信する送信ステップと、
前記第１の画像形成装置から転送される印刷データを印刷部で印刷させる制御ステップとを有し、
文書管理サーバは、
画像情報に含まれている識別情報に対応する電子文書を検索する検索ステップと、
前記検索ステップで検索された電子文書を前記第１の画像形成装置に転送する転送ステップとを備え、
原稿を読み取る原稿読取り手段を備える前記第１の画像形成装置は、
前記原稿読取り手段により読み取られた原稿の画像情報に基づいて、前記文書管理サーバに対して、電子文書検索要求を行う要求ステップと、
前記文書管理サーバから取得される電子文書を印刷部が印刷可能な印刷データに変換する変換ステップとを有し、
前記第１の画像形成装置は、前記第２の画像形成装置からの画像情報を解析し、前記要求ステップによって画像情報が含まれている識別情報に対応する電子文書の検索を前記文書管理サーバに要求し、前記文書管理サーバから転送された電子文書を前記変換ステップにより前記第１の画像形成装置の印刷部が印刷可能な印刷データに変換して、該印刷データを前記第２の画像形成装置に転送するサービス機能を有することを特徴とする文書処理方法。
【請求項１３】
第１の画像形成装置と、第２の画像形成装置と、文書管理サーバと、外部情報機器とが通信可能な画像形成システムにおける文書処理方法であって、
原稿を読み取る読取り手段を備える前記第２の画像形成装置は、
前記読取り手段で読み取られた原稿の画像情報を前記第１の画像形成装置に送信する送信ステップと、
前記第１の画像形成装置から転送される印刷データを印刷部で印刷させる制御ステップとを有し、
文書管理サーバは、
画像情報に含まれている識別情報に対応する電子文書を検索する検索ステップと、
前記検索ステップで検索された電子文書を前記第１の画像形成装置に転送する転送ステップとを備え、
原稿を読み取る原稿読取り手段を備える前記第１の画像形成装置は、
前記原稿読取り手段により読み取られた原稿の画像情報に基づいて、前記文書管理サーバに対して、電子文書検索要求を行う要求ステップと、
前記第２の画像形成装置からの画像情報を解析して、前記要求ステップによって画像情報に含まれている識別情報に対応する電子文書の検索を前記文書管理サーバに要求し、前記文書管理サーバで検索される電子文書を取得して、該電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行ステップとを備え、
前記外部情報機器は、前記第１の画像形成装置からの変換処理の要求に基づいて前記電子文書を前記第１の画像形成装置の印刷部が印刷可能な印刷データへ変換する変換ステップと、
前記変換ステップにより変換された印刷データを前記第１の画像形成装置に転送する転送ステップと、
を備えることを特徴とする文書処理方法。
【請求項１４】
前記第１の画像形成装置が備える前記印刷部は、電子文書を検索し、該検索された電子文書を前記第１の画像形成装置の印刷部が印刷可能な印刷データに変換するための指示を行うサービス要求シートを印刷することを特徴とする請求項１０〜１３のいずれかに記載の文書処理方法。
【請求項１５】
原稿を読み取る原稿読取り手段を備え、他の画像形成装置と通信可能な画像形成装置における文書処理方法であって、
前記原稿読取り手段によって読み取られた画像情報を解析して、前記画像情報に含まれている識別情報に対応する電子文書を検索する検索ステップと、
前記検索ステップで検索された電子文書を印刷部が印刷可能な印刷データに変換する変換ステップとを有し、
前記他の画像形成装置からの画像情報に基づいて、前記検索ステップによって電子文書を検索し、前記変換ステップによって該検索された電子文書を前記印刷部が印刷可能な印刷データに変換して、該印刷データを他の画像形成装置に転送するサービス機能を備えることを特徴とする文書処理方法。
【請求項１６】
原稿を読み取る原稿読取り手段を備え、外部情報機器と、他の画像形成装置と通信可能な画像形成装置における文書処理方法であって、
前記原稿読取り手段で読み取られた原稿の画像情報を解析して、前記画像情報に含まれている識別情報に対応する電子文書を検索する検索ステップと、
前記他の画像形成装置からの画像情報に基づいて、前記電子文書を検索し、該検索された電子文書を他の画像形成装置が印刷可能な印刷データへの変換処理を外部情報機器に要求し、前記外部情報機器から変換された前記他の画像形成装置が印刷可能な印刷データを取得して、該印刷データを前記他の画像形成装置に転送するサービス機能代行ステップと、
を備えることを特徴とする文書処理方法。
【請求項１７】
原稿を読み取る読取り部を備え、文書管理サーバと、他の画像形成装置と通信可能な画像形成装置における文書処理方法であって、
前記文書管理サーバから取得される電子文書を印刷部が印刷可能な印刷データに変換する変換ステップと、
前記他の画像形成装置からの画像情報に基づいて、前記文書管理サーバに対して、電子文書検索要求を行う要求ステップと、
前記文書管理サーバによって検索された電子文書を前記変換ステップにより前記他の画像形成装置の印刷部が印刷可能な印刷データに変換して転送するサービス機能代行ステップと、
を有することを特徴とする文書処理方法。
【請求項１８】
原稿を読み取る読取り部を備え、外部情報機器と、文書管理サーバと、他の画像形成装置と通信可能な画像形成装置における文書処理方法であって、
前記他の画像形成装置からの画像情報に基づいて、文書管理サーバに対して、電子文書検索要求を行う要求ステップと、
前記文書管理サーバで検索される電子文書を取得して、該電子文書を前記他の画像形成装置の印刷部が印刷可能な印刷データへの変換処理を外部情報機器に要求し、前記外部情報機器から前記他の画像形成装置の印刷部が印刷可能な印刷データを取得して、該印刷データを他の画像形成装置に転送するサービス機能代行ステップと、
を備えることを特徴とする文書処理方法。
【請求項１９】
請求項１０〜１８のいずれかに記載の文書処理方法を実行させるためのプログラムを格納したことを特徴とするコンピュータが読み取り可能な記憶媒体。
【請求項２０】
請求項１０〜１８のいずれかに記載の文書処理方法を実行させることを特徴とするプログラム。
【発明の詳細な説明】
【技術分野】
【０００１】
本発明は、サーバ装置、外部機器等あるいは、第１の機能処理を実行する第１の画像形成装置と、前記第１の機能処理が制限されている第２の画像形成装置とが通信可能な画像形成システムおよび画像形成装置および文書処理方法およびコンピュータが読み取り可能なプログラムを格納した記憶媒体およびプログラムに関するものである。
【背景技術】
【０００２】
画像形成装置、例えば電子複写機は、原稿台にセットされる被読取物の画像を光学的に読取り、その読取画像を必要枚数分の用紙に記録する。例えば、会議の資料を用意するためにコピージョブを行ない、その後で参加人数の変更などで記録物の必要部数が増えた場合には、担当者が原稿台に原稿を再セットし、同じコピージョブを繰り返すことになる。
【０００３】
最近では、パーソナルコンピュータ等でドキュメント（画像情報）を電子的に作成し、それをプリンタで記録出力するというように、原稿が紙情報から電子情報へと進化している。ただし、この場合でも、電子情報の原稿を一旦プリンタで記録出力して、その記録用紙を原稿として複写機で必要部数を複写するのが一般的である。
【０００４】
なお、複写と同じ簡便な操作でありながら、実際は複写ではなく、オリジナルの電子ドキュメントを紙情報に変換して出力するものとして、電子ドキュメントのファイルを識別するファイル識別情報を埋め込んだ検索シートを複写と同じ操作で読み込ませ、埋め込んであるファイル識別情報から電子ドキュメントファイルを識別検索し、オリジナルの電子ドキュメントを出力する例がある。
【０００５】
また、特別な検索シートを用いてドキュメントの検索出力を行う例では、常に検索シートを携行しなければならず、不便である。下記特許文献１は、上記の事情を考慮したもので、その目的とするところは、特別な検索シートを要することなく、しかもステイプルを外す必要なく、記録済みの原稿を１枚だけセットするという簡単な操作で、オリジナルの画像情報を良好な画質のまま必要部数だけ確実に記録出力することができる画像形成装置が記載されている。
【０００６】
下記特許文献１は、印刷した用紙の１枚目のみにバーコード印刷を行い、その１枚目のバーコード部分を読み取ることで、オリジナルデータをサーバから読み出しプリントする、というものであった。
【特許文献１】特開平１１−２０５５５８号公報
【発明の開示】
【発明が解決しようとする課題】
【０００７】
しかしながら、上述した特許文献１では、読み取ったバーコードに対応するオリジナルデータをサーバから読み出してプリントするという特有の機能は、スタンドアロンとして構成される、この特有の機能を有する１つの画像形成装置でしか使用できないため、この特有の機能を使いたい場合には、この特有の機能を有する画像形成装置の利用集中化が発生したり、また、この特有の機能を有する画像形成装置を新たに準備する必要があり、システムを構築する場合には多大なコストがかかるという課題があった。
【０００８】
また、外部機器から利用できない形式でオリジナルデータが管理されている場合には、外部機器からの印刷要求に適応できないという課題があった。
【０００９】
本発明は、上記の課題を解決するためになされたもので、本発明の第１の目的は、第１の画像形成装置と、第２の画像形成装置とが通信可能な画像形成システムにおいて、前記第２の画像形成装置が備える原稿読取り手段により読み取られる原稿の画像情報を第１の画像形成装置に送信し、該画像情報を解析して、画像情報に含まれている識別情報に基づいて記憶されている電子文書を検索し、該検索された電子文書を第２の画像形成装置の印刷部が印刷可能な印刷データに変換して転送し、該変換された印刷データを第２の画像形成装置に転送して印刷部で印刷させることにより、第２の画像形成装置が第１の画像形成装置の電子文書の検索と印刷に対する特有の機能を備えてしない場合でも、第１の画像形成装置が備える電子文書の検索と印刷に対する特有の機能を利用した印刷処理を行えるシステムを自在に構築することができる画像形成システムおよび画像形成装置および文書処理方法およびコンピュータが読み取り可能なプログラムを格納した記憶媒体およびプログラムを提供することである。
【００１０】
本発明の第２の目的は、原稿読取り手段によって読み取られた画像情報を解析して、前記画像情報に含まれている識別情報に対応する電子文書を検索し、該検索された電子文書を印刷部が印刷可能な印刷データに変換するとともに、他の画像形成装置からの画像情報に基づいて、電子文書を検索し、該検索された電子文書を前記印刷部が印刷可能な印刷データに変換して、該印刷データを他の画像形成装置に転送することにより、他の画像形成装置が電子文書の検索と印刷とを含む機能処理を備えていない場合でも、電子文書の検索処理と該検索された電子文書の印刷とを行う機能を備えた画像形成装置と通信することで同等の機能処理をサービス機能として利用可能なシステムを構築することができる画像形成システムおよび画像形成装置および文書処理方法およびコンピュータが読み取り可能なプログラムを格納した記憶媒体およびプログラムを提供することである。
【課題を解決するための手段】
【００１１】
上記目的を達成する本発明の画像形成システムは以下に示す構成を備える。
【００１２】
第１の画像形成装置と、第２の画像形成装置とが通信可能な画像形成システムであって、前記第２の画像形成装置は、原稿を読み取る読取り手段と、前記読取り手段で読み取られた原稿の画像情報を前記第１の画像形成装置に送信する送信手段と、前記第１の画像形成装置から転送される印刷データを印刷部で印刷させる制御手段とを有し、前記第１の画像形成装置は、原稿を読み取る読取り手段と、前記読取り手段で読み取られた原稿の画像情報を解析して、前記画像情報に含まれている識別情報に対応する電子文書を検索する検索手段と、前記検索手段で検索された電子文書を印刷部が印刷可能な印刷データに変換する変換手段とを有し、前記第１の画像形成装置は、前記第２の画像形成装置からの画像情報に基づいて、前記検索手段によって原稿の画像情報を解析し、識別情報に対応する電子文書を検索し、前記変換手段によって該検索された電子文書を前記第２の画像形成装置の印刷部が印刷可能な印刷データに変換し、該印刷データを前記第２の画像形成装置に転送するサービス機能を備えることを特徴とする。
【００１３】
上記目的を達成する本発明の画像形成装置は以下に示す構成を備える。
【００１４】
第１の画像形成装置と、第２の画像形成装置とが通信可能な画像形成システムにおける文書処理方法であって、原稿を読み取る原稿読取り手段を備える前記第２の画像形成装置は、前記原稿読取り手段で読み取られた原稿の画像情報を前記第１の画像形成装置に送信する送信ステップと、前記第１の画像形成装置から転送される印刷データを印刷部で印刷させる制御ステップとを有し、原稿を読み取る原稿読取り手段を備える前記第１の画像形成装置は、前記原稿読取り手段で読み取られた原稿の画像情報を解析して、前記画像情報が含まれている識別情報に対応する電子文書を検索する検索ステップと、前記検索ステップで検索された電子文書を印刷部が印刷可能な印刷データに変換する変換ステップと、前記第１の画像形成装置は、前記第２の画像形成装置からの画像情報に基づいて、前記検索ステップによって該検索された電子文書を前記第２の画像形成装置の印刷部が印刷可能な印刷データに変換し、該印刷データを前記第２の画像形成装置に転送するサービス機能を備えることを特徴とする。
【００１５】
上記目的を達成する本発明の文書処理方法は以下に示す構成を備える。
【００１６】
原稿を読み取る原稿読取り手段を備え、他の画像形成装置と通信可能な画像形成装置における文書処理方法であって、前記原稿読取り手段によって読み取られた画像情報を解析して、前記画像情報に含まれている識別情報に対応する電子文書を検索する検索ステップと、前記検索ステップで検索された電子文書を印刷部が印刷可能な印刷データに変換する変換ステップと、前記他の画像形成装置からの画像情報に基づいて、前記検索ステップによって電子文書を検索し、前記変換ステップによって該検索された電子文書を前記印刷部が印刷可能な印刷データに変換して、該印刷データを他の画像形成装置に転送するサービス機能を備えることを特徴とする。
【発明の効果】
【００１７】
本発明によれば、第２の画像形成装置が第１の画像形成装置の電子文書の検索と印刷に対する特有の機能を備えてしない場合でも、第１の画像形成装置が備える電子文書の検索と印刷に対する特有の機能を利用した印刷処理を行えるシステムを自在に構築することができる。
【００１８】
また、他の画像形成装置が電子文書の検索と印刷とを含む機能処理を備えていない場合でも、電子文書の検索処理と該検索された電子文書の印刷とを行う機能を備えた画像形成装置と通信することで同等の機能処理をサービス機能として利用可能なシステムを構築することができる。
【００１９】
従って、ネットワークを介して電子文書の検索処理と該検索された電子文書の印刷とを行う機能を備えた画像形成装置と他の画像形成装置が通信可能な画像形成システムにおいて、電子文書の検索と印刷とを含む機能処理を備えていない他の画像形成装置が当該機能処理を享受できる利便性と経済性に優れたシステムを構築することができる等の効果を奏する。
【発明を実施するための最良の形態】
【００２０】
次に本発明を実施するための最良の形態について図面を参照して説明する。
【００２１】
＜システム構成の説明＞
本実施形態では、オリジナル電子文書を検索する機能を外部から利用する場合について、文書管理システムが画像形成装置内にあり、ファイル変換処理部が第１の画像形成装置内にある場合に関して説明する。
【００２２】
また、読み取り装置で解析可能な情報は、バーコード情報もしくは電子透かし情報である場合に関して説明する。なお、ここで示す構成は一例であり図示の構成に限定されるものではない。
【００２３】
〔第１実施形態〕
図１は、本発明の第１実施形態を示す画像形成装置を適用可能な画像処理システムの構成を説明するブロック図である。
【００２４】
図１において、画像形成装置１００は、特有の機能、ここでは、オリジナル電子文書を検索する機能と、その電子文書を印刷する機能とを実現する画像形成装置であり、画像形成装置１０１は、その機能をもたない、通常の画像形成装置である。全体構成に関する部分については、どちらも相違がないため、説明は合わせて行う。
【００２５】
リーダ部（画像入力装置）２００は、原稿画像を光学的に読み取り、画像データに変換する。リーダ部２００は、原稿を読取るための機能を持つスキャナユニット２１０と、原稿用紙を搬送するための機能を持つ原稿給紙ユニット２５０とで構成される。
【００２６】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００２７】
制御装置１１０は、リーダ部２００、プリンタ部３００と電気的に接続され、さらにＬＡＮ４００に接続されている。制御装置１１０は、リーダ部２００を制御して、原稿の画像データを読込み、プリンタ部３００を制御して画像データを記録用紙に出力してコピー機能を提供する。また、リーダ部２００から読取った画像データを、コードデータに変換し、ＬＡＮ４００を介して図示しないホストコンピュータへ送信するスキャナ機能、ホストコンピュータからＬＡＮ４００を介して受信したコードデータを画像データに変換し、プリンタ部３００に出力するプリンタ機能を提供する。
【００２８】
操作部１５０は、制御装置１１０に接続され、液晶タッチパネルで構成され、画像入出力システムを操作するためのユーザＩ／Ｆを提供する。
【００２９】
＜制御装置の説明＞
次に、制御装置１１０の機能を、図２に示すブロック図を参照して説明する。制御装置１１０においても、画像形成装置１００、１０１で持つ構成がほぼ同じのため、合わせて説明するが、相違がある部分については適宜説明を行う。
【００３０】
図２は、図１に示した制御装置１１０の機能構成を説明するブロック図である。
【００３１】
図２において、メインコントローラ１１１は、主にＣＰＵ１１２と、バスコントローラ１１３、各種Ｉ／Ｆコントローラ回路とから構成される。
【００３２】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基づいて動作する。
【００３３】
また、ホストコンピュータから受信したＰＤＬ（ページ記述言語）コードデータを解釈し、ラスターイメージデータに展開する動作も、このプログラムに記述されており、ソフトウエアによって処理される。バスコントローラ１１３は各Ｉ／Ｆから入出力されるデータ転送を制御するものであり、バス競合時の調停やＤＭＡデータ転送の制御を行う。
【００３４】
ＤＲＡＭ１１６は、ＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３５】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３６】
Ｇｒａｐｈｉｃ  Ｐｒｏｃｅｓｓｏｒ１３５は、画像回転、変倍の処理を行うが、画像形成装置１０１においては、本発明に関わる、バーコード情報、透かし情報の抽出・解析や生成・埋め込み等の処理が行われる。このとき、変換処理では、ＲＯＭ１１４に格納されたプログラムをメインコントローラ１１１を介して解釈し、第２の画像形成装置で処理できるフォーマットに変換処理を行う。このとき、画像形成装置１０１においては、このバーコード情報、透かし情報の抽出・解析や生成・埋め込み、また、ファイル変換等の処理は持たない。
【００３７】
外部通信Ｉ／Ｆ１２１はＩ／Ｆ１２３によってメインコントローラ１１１と接続され、コネクタ１２２によって外部ネットワークと接続される。
【００３８】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３９】
Ｉ／Ｏ制御部１２６には、リーダ部２００、プリンタ部３００の各ＣＰＵと制御コマンドを送受信するための調歩同期式のシリアル通信コントローラ１２７が２チャンネル装備されており、Ｉ／Ｏバス１２８によって外部Ｉ／Ｆ回路１４０，１４５に接続されている。
【００４０】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００４１】
操作部１５０は、液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆから送られてきた画像データを表示するものである。液晶表示部には、本画像形成装置の操作における機能表示や画像データ等を表示する。
【００４２】
リアルタイムクロックモジュール１３３は、機器内で管理する日付と時刻を更新／保存するためのもので、バックアップ電池１３４によってバックアップされている。
【００４３】
Ｅ−ＩＤＥコネクタ１６１は、外部記憶装置を接続するためのものである。本実施例においては、このＩ／Ｆを介してハードディスク１６０を接続し、ハードディスク１６０へ画像データを記憶させたり、ハードディスク１６０から画像データを読み込ませたりする動作を行う。
【００４４】
コネクタ１４２と１４７は、それぞれリーダ部２００とプリンタ部３００とに接続され、同調歩同期シリアルＩ／Ｆ（１４３，１４８）とビデオＩ／Ｆ（１４４，１４９）とから構成される。
【００４５】
スキャナＩ／Ｆ１４０は、コネクタ１４２を介してリーダ部２００と接続され、また、スキャナバス１４１によってメインコントローラ１１１と接続されており、リーダ部２００から受け取った画像に対して所定の処理を施す機能を有し、さらに、リーダ部２００から送られたビデオ制御信号をもとに生成した制御信号を、スキャナバス１４１に出力する機能も有する。
【００４６】
スキャナバス１４１からＤＲＡＭ１１６へのデータ転送は、バスコントローラ１１３によって制御される。
【００４７】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４８】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４９】
また、本発明に関わる、オリジナル電子文書の検索シーケンスは、ＲＯＭ１１４に記載されたプログラムに基づいて動作する。
【００５０】
第２の画像形成装置より受け取った原稿のうち、バーコード、または電子透かしの部分を、後述するＧｒａｐｈｉｃ  Ｐｒｏｃｅｓｓｏｒ１３５にて解析し、アドレス情報を取得する。そして、そのアドレス情報に従って、後述するハードディスク１６０に保存されたオリジナル電子文書を取得、という形になる。
【００５１】
＜リーダ画像処理部の説明＞
図３は、図１に示したリーダ装置２００内に備えられたリーダ画像処理部２２２の詳細な構成を示すブロック図である。リーダ画像処理部２２２に関しても、画像形成装置１００，１０１においてどちらも相違がないため、説明は合わせて行う。
【００５２】
図３において、リーダ画像処理部２２２では、原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化又は、フィルタがＣＣＤと別構成になったものでも構わない）。
【００５３】
そして、その電気信号（アナログ画像信号）はリーダ画像処理部２２２に入力され、クランプ＆Ａｍｐ．＆Ｓ／Ｈ＆Ａ／Ｄ部４５１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４５２で、シェーディング補正及び黒補正が施された後、制御装置１１０へと出力される。
【００５４】
＜スキャナＩ／Ｆの画像処理部の説明＞
スキャナＩ／Ｆ１４０の画像処理を担う部分について詳細に説明する。
【００５５】
図４は、図２に示したスキャナＩ／Ｆ１４０の画像処理構成を示すブロック図である。スキャナＩ／Ｆ１４０に関しても、画像形成装置１００、１０１においてどちらも相違がないため、説明は合わせて行う。
【００５６】
図４において、リーダ部２００から、コネクタ１４２を介して送られる画像信号に対して、つなぎ＆ＭＴＦ補正部６０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部６０２によって、ＣＣＤ２１８の分光特性及び図示しないランプ及びミラーの分光特性を補正する。入力マスキング部６０２の出力はＡＣＳカウント部６０３及びメインコントローラ１１１へと送られる。
【００５７】
＜プリンタＩ／Ｆの画像処理部の説明＞
プリンタＩ／Ｆ１４５の画像処理を担う部分について詳細に説明する。
【００５８】
図５は、図２に示したプリンタＩ／Ｆ１４５の画像処理を担う部分の詳細な構成を示すブロック図である。プリンタＩ／Ｆ１４５に関しても、画像形成装置１００、１０１においてどちらも相違がないため、説明は合わせて行う。
【００５９】
図５において、メインコントローラ１１１から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００６０】
＜Ｇｒａｐｈｉｃ  Ｐｒｏｃｅｓｓｏｒの説明＞
Ｇｒａｐｈｉｃ  Ｐｒｏｃｅｓｓｏｒ１３５について詳細に説明する。
【００６１】
図６は、図１に示した第１の画像形成装置におけるＧｒａｐｈｉｃ  Ｐｒｏｃｅｓｓｏｒ１３５の詳細な構成を示すブロック図である。
【００６２】
図６において、Ｇｒａｐｈｉｃ  Ｐｒｏｃｅｓｓｏｒ１３５では、画像回転、変倍処理の処理を行うが、画像形成装置１０１においては、本発明に関わる、バーコード情報、透かし情報の抽出・解析や生成・埋め込み、ファイル変換等の処理が行われる。
【００６３】
Ｇｒａｐｈｉｃ  Ｐｒｏｃｅｓｓｏｒ１３５は、画像回転部８０１での画像の回転、８０２画像の変倍、ＬＵＴ８０４を利用した色空間変換部８０３での色空間変換、画像二値化部８０５での二値化、ファイル変換部８０６でのファイル変換の処理をそれぞれ行う。ファイル変換は、図２に示したＲＯＭ１１４に格納されたプログラムをメインコントローラ１１１を介して解釈し、第２の画像形成装置で処理できるフォーマットに変換処理を行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００６４】
バーコード、透かし情報抽出／解析部２１００は、画像データに含まれているバーコード、透かし情報を認識、抽出し、その抽出したデータを解析する。
【００６５】
バーコード、透かし情報生成／埋め込み部２２００は、バーコード、透かし情報を生成し、そのデータを埋め込む。
【００６６】
図７は、図１に示した第２の画像形成装置における、Ｇｒａｐｈｉｃ  Ｐｒｏｃｅｓｓｏｒ１３５の詳細な構成を示すブロック図である。
【００６７】
図７に示す第２の画像形成装置におけるＧｒａｐｈｉｃ  Ｐｒｏｃｅｓｓｏｒ１３５では、バーコード情報、透かし情報の抽出、解析や生成、埋め込み等の処理機能を持ち合わせていないため、画像回転、変倍の処理のみを行う。
【００６８】
Ｇｒａｐｈｉｃ  Ｐｒｏｃｅｓｓｏｒ１３５は、画像回転部８１１での画像の回転、画像変倍部８１２での画像の変倍、ＬＵＴ８１４を利用した色空間変換部８１３での色空間変換、画像二値化部８１５での二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。バスコントローラ１１３は、ＧｒａｐｈｉｃＰｒｏｃｅｓｓｏｒ１３５の各々のモジュールにモード等を設定する制御及び、各々のモジュールに画像データを転送するためのタイミング制御を行う。
【００６９】
＜格納領域の説明＞
図８は、図２に示したハードディスク１６０内の格納領域に関して説明した図である。
【００７０】
図８において、９０１はＢｏｘデータ領域であり、Ｂｏｘ機能における、文書管理機能を実現する、文書を保存しておく領域である。このＢｏｘデータ領域に、オリジナル電子文書も格納されている。９０２は複数あるＢｏｘを示すデータである。９０３はＢｏｘ内のファイルを示すデータであり、９０４はファイルの属性を示すデータである。また、９１０は機能を公開するデータファイルであり、公開する機能の情報が記載されている。９２０はＢｏｘ以外のデータ領域である。
【００７１】
図９は、図８に示したＢｏｘデータ領域９０１で記憶されるデータファイルを説明する図であり、機能を公開するためのデータファイルに対応する。
【００７２】
図９において、９５０は公開する機能名を示したデータである。９５１は関数名が記載されたデータである。９５２は関数におけるリザルトコード、即ち、機能（サービス）を利用する側へ返すコードデータである。９５３は関数におけるパラメータを示している。９５４はその機能が利用できる状態か否かを表すフラグであり、このフラグが有効でない場合は本機能が利用できないことになる。
【００７３】
＜操作部の説明＞
図１０は、本発明に係る画像形成装置の操作部１５０の表示部に表示される基本画面を示す説明図である。
【００７４】
尚、この画面はタッチパネルとなっており、それぞれ表示される機能の枠内を触れることにより、その機能が実行される。コピーモードキー５２４は、複写動作を行う場合に押すキーである。そして、このコピーモードキー５２４が押されたときに、図１０に示すコピーモードの表示画面５３０を表示する。拡張機能キー５０１は、このキーを押すことによって両面複写、多重複写、移動、綴じ代の設定、枠消しの設定等のモードに入る。
【００７５】
５４０は、ステータスラインであり、機器の状態や印刷情報を示すメッセージを表示する。本図の場合、コピー待機中であることを示している。
【００７６】
画像モードキー５０２は、このキーを押下することによって複写画像に対して網掛け、影付け、トリミング、マスキングを行うための設定モードに入る。ユーザモードキー５０３は、モードメモリの登録、標準モード画面の設定が行える。
【００７７】
応用ズームキー５０４は、原稿のＸ方向、Ｙ方向を独立に変倍するモード、原稿サイズと複写サイズから変倍率を計算するズームプログラムのモードに入る。Ｍ１キー５０５、Ｍ２キー５０６、Ｍ３キー５０７は、それぞれに登録されたモードメモリを呼び出す際に押すキーである。コールキー５０８は、登録された情報を呼び出すためのキーである。オプションキー５０９は、フィルムから直接複写するため、フィルムプロジェクタ等のオプション機能の設定を行うキーである。ソータキー５１０は、ソート、ノンソート、グループの設定を行うキーである。
【００７８】
原稿混載キー５１１は、原稿フィーダにＡ４サイズとＡ３サイズ、またはＢ５サイズとＢ４サイズの原稿を一緒にセットする際に押すキーである。等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は、キー５１８を押す毎に濃く複写され、キー５２０を押す毎に薄く複写される。
【００７９】
濃度表示５１７は、濃度キー５１８、５２０を押すと表示が左右に変化する。ＡＥキー５１９は、新聞のように地肌の濃い原稿を自動濃度調整複写するときに押すキーである。ＨＩＦＩキー５２１は、写真原稿のように中間調の濃度が濃い原稿の複写の際に押すキーである。文字強調キー５２２は、文字原稿の複写で文字を際だたせたい場合に押すキーである。５６０は履歴キーであり、これを押下することで、印刷済みのジョブの履歴情報を表示する。
【００８０】
例えば、印刷ジョブの、終了時刻、ユーザ名、ファイル名、印刷枚数等の情報を表示する。６００は、プリンタ選択キーであり、リモートコピーや重連コピーを行う場合の受信側複写機を選択する際に押すキーである。
【００８１】
ガイドキー（？キー）５２３は、あるキーの機能がわからないとき押すキーであり、そのキーの説明が表示される。ファックスキー５２５は、ファックスを行うときに押すキーであり、Ｂｏｘキー５２６は、Ｂｏｘ機能を表示させたいときに押すキーである。プリンタキー５２７は、プリントの濃度を変更する、あるいは、リモートのホストコンピュータからのＰＤＬデータのプリント出力詳細情報を参照したい場合に押すキーである。５２８はＩＤキーである。
【００８２】
サービス検索キー５９９は、公開されている機能（サービス）を検索したいときに押下するキーである。このキーを押下すると、図９のような画面表示となる。
【００８３】
図１１は、図１０に示した表示画面５３０に表示される公開サービス検索画面の一例を示す図であり、図１０に示したサービス検索キー５９９を押下した場合の表示画面例に対応する。
【００８４】
図１１において、表示画面では、検索実行キー１１０５を押下することで、機能（サービス）を公開しているターゲットとその機能（サービス）の内容を検索することができる。検索実行キー１１０５を押下すると、１１０１にターゲット名、１１０２にターゲットのＩＰアドレス、１１０３にサービス内容、１１０４にその状態が表示されている。また、その欄のいずれかを押下することにより、（本実施形態においてはｔａｒｇｅｔ０１のオリジナルデータ復元サービスを選択）その機能（サービス）が選択された状態となり、ＯＫキー１１０６で選択が確定する。また、キャンセルキー１１０７を押下すると、サービス検索自体がキャンセルされ、図１０に示す表示に戻ることとなる。
【００８５】
図１２は、図１１に示した公開サービス検索画面に対する詳細画面の一例を示す図であり、図１１において、オリジナルデータ復元サービスを選択した場合に表示される操作部画面の一例である。
【００８６】
図１２において、１２０１にターゲット名、１２０２にターゲットのＩＰアドレス、１２０３にサービス内容、１２０４にその状態が表示されている。
【００８７】
ここで、送信したい原稿を原稿台もしくはＡＤＦにおき、開始キー１２０５を押下すると、スキャンが開始され、そのデータが第１の画像形成装置へ送られる。キャンセルキー１２０６を押下すると、本機能自体がキャンセルされ、図９の状態へ戻る。
【００８８】
図１３は、図１１に示した公開サービス検索画面に対する詳細画面の一例を示す図であり、図１２に示した操作画面上の指示に従い、スキャンを開始し、データが第１の画像形成装置へ送られたあと、オリジナルデータを検索し、プリントまで正常に完了した場合の操作部表示画面に対応する。
【００８９】
１３０１は結果と表示され、１３０２でそのプリントの結果が表示される。本実施形態においては、正常に動作した場合について記載しており、その場合は、正常終了などと表示が行われる。また、ＯＫキー１３０３を押下すると、図１０の状態に戻る。
【００９０】
図１４は、図１１に示した公開サービス検索画面に対する詳細画面の一例を示す図であり、図１２に示す画面に対する指示に従い、スキャンを開始し、データが第１の画像形成装置へ送られたあと、オリジナルデータを検索し、第２の画像形成装置で印刷可能なファイルフォーマットに変換できなかった場合にエラーになった場合の操作部表示画面例に対応する。
【００９１】
図１４において、画面には「オリジナルデータの取得に失敗しました。」と表示され、１３１１には結果と表示され、１３１２でその処理の結果詳細が表示される。本実施形態においては、第２の画像形成装置で印刷可能なファイルフォーマットに変換できずにエラーになった場合について記載しており、その場合は、「印刷可能なフォーマットに変換できませんでした。」などと表示が行われる。また、ＯＫキー１３１３を押下すると、図１０の状態に戻る。
【００９２】
図１５は、図１１に示した公開サービス検索画面に対する詳細画面の一例を示す図であり、図１２に示す画面に対する指示に従い、スキャンを開始し、データが第１の画像形成装置へ送られたあと、オリジナルデータを検索し、オリジナルデータが見つからなかった場合の操作部表示画面例に対応する。
【００９３】
図１５において、画面には「オリジナルデータの取得に失敗しました。」と表示され、表示部１３２１には結果と表示され、表示部１３２２にはその処理の結果詳細が表示される。本実施形態においては、オリジナルデータが見つからなかった場合について記載しており、その場合は、「オリジナルデータが見つかりませんでした。」などと表示が行われる。また、ＯＫキー１３２３を押下すると、図８の状態に戻る。
【００９４】
＜フローチャートの説明＞
次に、図１６等に示すフローチャートを参照して、本発明に係る画像形成装置における画像処理例について説明する。
【００９５】
図１６は、本発明に係る画像形成装置における第１のデータ処理手順の一例を示すフローチャートであり、図１に示した画像形成装置１００と画像形成装置１０１のコントローラ部１１０による電子文書検索印刷処理手順に対応する。なお、Ｓ７０１〜Ｓ７１８は各ステップを示す。
【００９６】
まず、ステップＳ７０１では、図１０で説明した表示画面において、ユーザからのサービス実行要求指示（サービス検索キー５９９の押下指示）を受け付けて、指示された機能（サービス）を検索する。次に、ステップＳ７０２では、該当するサービスが見つかったかどうかをコントローラ部１１０が判断し、サービスが見つからないと判断した場合は、ステップＳ７０１に戻る。
【００９７】
一方、ステップＳ７０２で、サービスが見つかったとコントローラ部１１０が判断した場合は、ステップＳ７０３に進み、図１１に示したように、サービス内容を操作部１５０上に表示する。
【００９８】
そして、ステップＳ７０４で、オリジナルデータ復元サービスを選択したら、図１２で説明したように、ステップＳ７０５で、リクエストを出し、ステップＳ７０６で、スキャナユニット２１０により、画像形成装置１０１で出力された検索シートのスキャンを開始し、その画像データをステップＳ７０７で送信したら、第１の画像形成装置１００内で、ステップＳ７０８にてバーコードもしくは電子透かしからなるアドレス情報をコントローラ部１１０が解析する。
【００９９】
そして、そのアドレス情報に基づいて、ステップＳ７０９では、画像形成装置１００の本体内文書管理システムからオリジナルデータをコントローラ部１１０が検索（ハードディスク１６０内を検索する）し、ステップＳ７１０で該当文書（所定のファイルフォーマットに従う電子文書）が見つかったかどうかを判断し、該当文書が見つかったとコントローラ部１１０が判断した場合は、ステップＳ７１１で、オリジナルデータをハードディスク１６０より取得する。
【０１００】
一方、ステップＳ７１０で、見つからないとコントローラ部１１０が判断した場合は、ステップＳ７１７へ進み、第２の画像形成装置（画像形成装置１０１）、すなわちリクエスタ側にエラーを返却し、ステップＳ７１８へ進む。
【０１０１】
そして、ステップＳ７１２では、ステップＳ７１１で取得したオリジナルデータが、第２の画像形成装置１０１で印刷できるファイルフォーマットかどうかをコントローラ部１１０が判断し、印刷可能なファイルフォーマット、例えばTIFF形式であると判断した場合は、ステップＳ７１５へ進むが、印刷不可能なファイルフォーマット、例えばPDF形式と判断されれば、ステップＳ７１３へ進み、ファイル変換処理をコントローラ部１１０が行う。
【０１０２】
そして、ステップＳ７１４ではファイル変換が成功したか否かをコントローラ部１１０が判断し、成功したと判断した場合は、ステップＳ７１５へ進む。
【０１０３】
一方、ステップＳ７１４で、ファイル変換処理が失敗したと判断した場合は、ステップＳ７１７へ進み、第２の画像形成装置１０１、すなわちリクエスタ側の画像形成装置に対して、エラーを返却し、ステップＳ７１８へ進む。
【０１０４】
そして、ステップＳ７１５に進んだ場合は、第２の画像形成装置１０１に対してプリント指示を行い、ステップＳ７１６で、第２の画像形成装置１０１がプリントを行い、ステップＳ７１８で結果表示を行い、本処理を終了する。
【０１０５】
そして、ステップＳ７１６でプリントが成功すれば、図１３に示したように成功したという表示を行うし、ステップＳ７１０、Ｓ７１４で失敗が起これば、図１４、図１５に示したように失敗したという表示を行う。
【０１０６】
これにより、電子文書検索プリントサービス機能が付加されていない画像形成装置１０１と、該サービス機能が付加されている画像形成装置１００とが通信して、画像形成装置１０１が画像形成装置１００を介して電子文書検索プリントサービス機能を利用可能となる。
【０１０７】
〔第２実施形態〕
第１実施形態では、画像形成装置１００がオリジナル電子文書を検索する機能と、ファイル変換処理機能との双方を利用可能なシステムの例について説明したが、ファイル変換処理機能を外部情報機器に備えて、該外部情報機器と通信して、ファイル変換処理機能を実行するように構成してもよい。以下、その実施形態について説明する。
【０１０８】
また、読み取り装置で解析可能な情報は、バーコード情報もしくは電子透かし情報である場合に関して説明する。なお、ここで示す構成は一例であり図示の構成に限定されるものではない。さらに、ここで、全体構成図、個々の詳細図に関しては、第１実施形態のものと同様のため、ここではその差分とフローチャートのみ、その内容を説明する。
【０１０９】
図１７は、本発明の第２実施形態を示す画像形成装置を適用可能な画像形成システムの一例を示すブロック図であり、図１と同一のものには同一の符号を付してある。なお、本実施形態においては、ファイル変換処理部が第１の画像形成装置１００内にはない。ファイル変換処理部は、外部情報機器１０３内の制御装置１７０内で行われることになる。
【０１１０】
図１７において、制御装置１７０にはＨＤＤ１７１が接続されている。ただし、ＨＤＤ１７１は必ずしも接続されていなければならないものではない。
【０１１１】
＜制御装置の説明＞
次に、外部情報機器１０３内の制御装置１７０について説明を行う。ここで、外部情報機器１０５、１０６も構成は同様である。
【０１１２】
図１８は、図１７に示したコントローラ部１７０の詳細構成を説明するブロック図である。
【０１１３】
図１８において、メインコントローラ１７２は、主にＣＰＵ１７３と、バスコントローラ１７４などから構成される。
【０１１４】
ＣＰＵ１７３とバスコントローラ１７４は制御装置１７０全体の動作を制御するものであり、ＣＰＵ１７３はＲＯＭ１７５からＲＯＭ  Ｉ／Ｆ１７６を経由して読込んだプログラムに基づいて動作する。バスコントローラ１７４は各Ｉ／Ｆから入出力されるデータ転送を制御するものであり、バス競合時の調停やＤＭＡデータ転送の制御を行う。
【０１１５】
ＤＲＡＭ１７７は、ＤＲＡＭ  Ｉ／Ｆ１７８によってメインコントローラ１７２と接続されており、ＣＰＵ１７３が動作するためのワークエリアや、画像データを蓄積するためのエリアとして使用される。
【０１１６】
Ｇｒａｐｈｉｃ  Ｐｒｏｃｅｓｓｏｒ１７９は、画像回転、変倍の処理を行うが、画像形成装置１０１においては、本発明に関わる、ファイル変換の処理が行われる。このとき、ＲＯＭ１７５に格納されたプログラムをメインコントローラ１７２を介して解釈し、処理を行う。ＳＲＡＭ１８０は変換処理を行う際にワーク領域として使用される。
【０１１７】
外部通信Ｉ／Ｆ１８１はＩ／Ｆ１８２によってメインコントローラ１７２と接続され、コネクタ１８３によって外部ネットワークと接続される。Ｉ／Ｏ制御部１８４には、ハードディスクドライブ１７１とのコネクタであるＥ−ＩＤＥコネクタ１８６やバックアップ用電池１８７が接続されるリアルタイムクロックモジュール１８８、拡張コネクタ１８９が接続された汎用高速バス１９０とのＩ／Ｏ制御を行う。
【０１１８】
リアルタイムクロックモジュール１８８は、機器内で管理する日付と時刻を更新／保存するためのもので、バックアップ用電池１８７によってバックアップされている。
【０１１９】
Ｅ−ＩＤＥコネクタ１８６は、外部記憶装置を接続するためのものである。本実施形態においては、このＩ／Ｆを介してハードディスクドライブ１７１を接続し、画像データを記憶させたり、ハードディスクドライブ１７１から画像データを読み込む動作を行う。
【０１２０】
＜Ｇｒａｐｈｉｃ  Ｐｒｏｃｅｓｓｏｒの説明＞
図１９は、図１７に示した外部情報機器１０３のＧｒａｐｈｉｃ  Ｐｒｏｃｅｓｓｏｒ１７９の詳細な構成を示すブロック図である。
【０１２１】
図１９において、外部情報機器１０３におけるＧｒａｐｈｉｃ  Ｐｒｏｃｅｓｓｏｒ１７９では、画像回転、変倍の処理、また、本発明に関わる、ファイル変換処理を行う。
【０１２２】
Ｇｒａｐｈｉｃ  Ｐｒｏｃｅｓｓｏｒ１７９は、画像回転部８２１、画像変倍部８２２、ＬＵＴ８２４を利用した色空間変換部８２３、画像二値化部８２５、ファイル変換処理部８２６によりそれぞれのデータ処理を行う。
【０１２３】
このとき、ファイル変換部８２６におけるファイル変換処理では、ＲＯＭ１７５に格納されたプログラムをメインコントローラ１７２を介して解釈し、第２の画像形成装置１０１で処理できるフォーマットに変換処理を行う。
【０１２４】
ＳＲＡＭ１８０は、Ｇｒａｐｈｉｃ  Ｐｒｏｃｅｓｓｏｒ１７９の一時的なワーク領域として使用される。Ｇｒａｐｈｉｃ  Ｐｒｏｃｅｓｓｏｒ１７９はＩ／Ｆ１９１を介してメインコントローラ１７２と接続され、ＤＲＡＭ１７７との間のデータの転送は、バスコントローラ１７４によって制御されＤＭＡ転送される。
【０１２５】
バスコントローラ１７４は、ＧｒａｐｈｉｃＰｒｏｃｅｓｓｏｒ１７９の各々のモジュールにモード等を設定する制御及び、各々のモジュールに画像データを転送するためのタイミング制御を行う。
【０１２６】
図２０は、本発明に係る画像形成装置における第２のデータ処理手順の一例を示すフローチャートであり、図１に示したコントローラ１１０による電子文書検索印刷処理手順に対応する。なお、Ｓ８０１〜Ｓ８１９は各ステップを示す。
【０１２７】
まず、ステップＳ８０１では、図１１で説明したように、機能（サービス）を検索する。そして、ステップＳ８０２では、該当するサービスが見つかったかどうかをコントローラ部１１０が判断している。ここで、サービスが見つからない場合は、ステップＳ８０１に戻る。
【０１２８】
一方、ステップＳ８０２で、見つかったと判断した場合は、ステップＳ８０３に進み、図１１のようにサービス内容を操作部に表示する。そして、ステップＳ８０４で、オリジナルデータ復元サービスを選択したら、図１２で説明したように、ステップＳ８０５でリクエストを出し、ステップＳ８０６でスキャンを開始し、その画像データをステップＳ８０７で送信したら、第１の画像形成装置１００内でステップＳ８０８にてバーコードもしくは電子透かしからなるアドレス情報を解析する。
【０１２９】
そして、そのアドレス情報をもとに、ステップＳ８０９では本体内文書管理システムからオリジナルデータを検索し、ステップＳ８１０で該当文書が見つかったかどうかをコントローラ部１１０が判断し、該当文書が見つかったと判断した場合は、ステップＳ８１１でオリジナルデータを取得し、見つからないと判断した場合は、ステップＳ８１８へ進み、第２の画像形成装置１０１、すなわちリクエスタ側にエラーを返却し、ステップＳ８１９へ進む。
【０１３０】
一方、ステップＳ８１２で、ステップＳ８１１で取得したオリジナルデータが、第２の画像形成装置１０１で印刷できるファイルフォーマットかどうかを判断し、印刷可能なファイルフォーマット、例えばTIFF形式であると判断した場合は、ステップＳ８１６へ進むが、印刷不可能なファイルフォーマット、例えばPDF形式と判断されれば、ステップＳ８１３へ進み、ファイル変換を行うことができる情報機器が外部に存在するかどうかをコントローラ部１１０が判断し、外部に存在すると判断した場合は、ステップＳ８１４に進み、ファイル変換の要求を出す。
【０１３１】
そして、ステップＳ８１５では、ファイル変換が成功したかどうかをコントローラ部１１０が判断し、ファイル変換が可能な情報機器があるかどうかを探索する。
【０１３２】
ここで、ステップＳ８１３においてファイル変換がまったく不可能であると判断された場合は、ステップＳ８１８へ進み、第２の画像形成装置１０１にエラーを返却し、ステップＳ８１９へ進む。
【０１３３】
一方、ステップＳ８１５で、ファイル変換が成功し、ステップＳ８１６へ進んだ場合は、第２の画像形成装置１０１に対してプリント指示を行い、ステップＳ８１７でプリントを行い、ステップＳ８１９で結果表示を行い、本処理を終了する。
【０１３４】
なお、結果表示は、図２０に示すステップＳ８１６でプリントが成功すれば、図１３のように成功したという表示を行うし、ステップＳ８１０、Ｓ８１３で失敗が起これば、図１４、図１５のように失敗したという表示を行う。
【０１３５】
これにより、電子文書検索プリントサービス機能が付加されていない画像形成装置１０１と、該サービス機能が付加されている画像形成装置１００とが通信して、画像形成装置１０１が画像形成装置１００と外部情報機器１０３とを介して電子文書検索プリントサービス機能を利用可能となる。
【０１３６】
〔第３実施形態〕
第１実施形態では電子文書を検索する機能と、検索された電子文書を第２の画像形成装置の印刷部が印刷可能な印刷データに変換する変換処理機能と、オリジナル電子文書の管理機能処理との双方を利用可能なシステムの例について説明したが、画像形成装置１００がファイル変換処理機能を備え、オリジナル電子文書を検索処理等を行う文書管理サーバ１０２と通信して、文書管理機能処理を外部に設ける構成としてもよい。以下、その実施形態について説明する。
【０１３７】
また、読み取り装置で解析可能な情報は、バーコード情報もしくは電子透かし情報である場合に関して説明する。なお、ここで示す構成は一例であり図示の構成に限定されるものではない。さらに、ここで、全体構成図、個々の詳細図に関しては、第１実施形態のものと同様のため、ここではその差分とフローチャートのみ、その内容を説明する。
【０１３８】
図２１は、本発明の第３実施形態を示す画像形成装置を適用可能な画像形成システムの一例を示すブロック図であり、図１と同一のものには同一の符号を付してある。
【０１３９】
なお、本実施形態においては、画像形成装置１００は、本発明に関わる、特有の機能、ここではオリジナル電子文書を検索する機能、を実現する画像形成装置であり、画像形成装置１０１は、その機能をもたない、通常の画像形成装置である。また、文書管理サーバ１０２が別途ＬＡＮによって接続されており、文書の情報、オリジナル電子文書はこちらに格納される。ここで、画像形成装置の構成詳細に関しては、第１実施形態と同様のため、ここでは割愛する。
【０１４０】
＜制御装置の説明＞
以下、本実施形態に関わる、オリジナル電子文書の検索シーケンスについて、第１、第２実施形態との違いについて説明する
オリジナル電子文書の検索シーケンスは、ＲＯＭ１１４に記載されたプログラムに基づいて動作する。第２の画像形成装置より受け取った原稿のうち、バーコード、または電子透かしの部分を、Ｇｒａｐｈｉｃ  Ｐｒｏｃｅｓｓｏｒ１３５にて解析し、アドレス情報を取得する。
【０１４１】
そのアドレスは、外部の文書管理サーバ１０２に存在するため、オリジナル電子文書は、メインコントローラ１１１を介し、外部通信Ｉ／Ｆｃｏｎｔｒｏｌｌｅｒ１２１に従って、文書管理サーバ１０２から取得し、第１実施形態のようにファイル変換部が第１の画像形成装置１００内にあればそこで、第２実施形態のように外部情報機器にあればそこでファイル変換を行い、オリジナルデータを戻す形になる。
【０１４２】
図２２は、本発明に係る画像形成装置における第３のデータ処理手順の一例を示すフローチャートであり、図１に示したコントローラ部１１０による電子文書検索印刷処理手順に対応する。なお、Ｓ９０１〜Ｓ９１８は各ステップを示す。
【０１４３】
まず、ステップＳ９０１では、図１１で説明したように、機能（サービス）を検索する。そして、ステップＳ９０２では、該当するサービスが見つかったかどうかを判断し、サービスが見つからないとコントローラ部１１０が判断した場合はステップＳ９０１に戻る。
【０１４４】
一方、ステップＳ９０２で、見つかったと判断した場合は、ステップＳ９０３に進み、図１１のようにサービス内容を操作部に表示する。そして、ステップＳ９０４で、オリジナルデータ復元サービスを選択したら、図１２で説明したように、ステップＳ９０５でリクエストを出し、ステップＳ９０６でスキャンを開始し、その画像データをステップＳ９０７で送信したら、第１の画像形成装置１００内でステップＳ９０８にてバーコードもしくは電子透かしからなるアドレス情報をコントローラ部１１０が解析する。
【０１４５】
そして、そのアドレス情報をもとに、ステップＳ９０９では外部文書管理サーバ１０２からオリジナルデータを検索し、ステップＳ９１０で、該当文書が見つかったかどうかをコントローラ部１１０が判断し、該当文書が見つかったと判断した場合は、ステップＳ９１１でオリジナルデータを取得し、見つからないと判断した場合は、ステップＳ９１７へ進み、第２の画像形成装置１０１、すなわちリクエスタ側にエラーを返却し、ステップＳ９１８へ進む。
【０１４６】
そして、ステップＳ９１２では、ステップＳ９１１で取得したオリジナルデータが、第２の画像形成装置１０１で印刷できるファイルフォーマットかどうかを判断しており、印刷可能なファイルフォーマット、例えばTIFF形式であれば、ステップＳ９１５へ進むが、印刷不可能なファイルフォーマット、例えばPDF形式と判断されれば、ステップＳ９１３へ進み、ファイル変換を行う。
【０１４７】
そして、ステップＳ９１４ではファイル変換が成功したか否かをコントローラ部１１０が判断し、成功したと判断した場合は、ステップＳ９１５へ進む。
【０１４８】
一方、ステップＳ９１４で、失敗したと判断した場合は、ステップＳ９１７へ進み、第２の画像形成装置、すなわちリクエスタ側にエラーを返却し、ステップＳ９１８へ進む。
【０１４９】
そして、ステップＳ９１５に進んだ場合は、第２の画像形成装置１０１に対してプリント指示を行い、ステップＳ９１６でプリントを行い、ステップＳ９１８で結果表示を行い、本処理を終了する。
【０１５０】
なお、ステップＳ９１６でプリントが成功すれば、図１３のように成功したという表示を行い、ステップＳ９１０、Ｓ９１４で失敗が起これば、図１４、図１５のように失敗したという表示を行う。
【０１５１】
このように、ここで説明した内容は、第１実施形態のフローチャートに示した制御手順とほぼ差がない形であるが、ファイル変換手段が外部情報機器にある場合も、第２実施形態で記載したようなフローとほぼ差がない形で、オリジナルデータの取得場所が外部の文書管理サーバ１０２になるだけであるので、ここでは説明を割愛する。
【０１５２】
上記各実施形態によれば、従来のシステムであれば、特有の機能を備えていてもその機能をもった画像形成装置からしかその機能を利用できなかったが、そのような特有の機能を備えていなくとも、そのような機能を備えた画像形成装置が機能（サービス）としてその機能を公開し、従来の一般機器から利用することを可能としたため、ユーザの利便性が向上する。
【０１５３】
また、印刷不可能なファイルフォーマットであっても、そのファイルフォーマットに変換できる処理手段を持つ画像形成装置もしくは情報機器で変換を行うことで、印刷が可能になり、ユーザの利便性が向上する。
【０１５４】
以下、図２３に示すメモリマップを参照して本発明に係る画像形成システムで読み取り可能なデータ処理プログラムの構成について説明する。
【０１５５】
図２３は、本発明に係る画像形成システムで読み取り可能な各種データ処理プログラムを格納する記憶媒体のメモリマップを説明する図である。
【０１５６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５８】
本実施形態における図１６、図２０、図２２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６０】
この場合、記憶媒体から読み出されたプログラムコード自体が本発明の新規な機能を実現することになり、そのプログラムコードを記憶した記憶媒体は本発明を構成することになる。
【０１６１】
従って、プログラムの機能を有していれば、オブジェクトコード、インタプリタにより実行されるプログラム、ＯＳに供給するスクリプトデータ等、プログラムの形態を問わない。
【０１６２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１６３】
この場合、記憶媒体から読出されたプログラムコード自体が前述した実施形態の機能を実現することになり、そのプログラムコードを記憶した記憶媒体は本発明を構成することになる。
【０１６４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１６６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６８】
本発明は上記実施形態に限定されるものではなく、本発明の趣旨に基づき種々の変形（各実施形態の有機的な組合せを含む）が可能であり、それらを本発明の範囲から排除するものではない。
【０１６９】
本発明の様々な例と実施形態を示して説明したが、当業者であれば、本発明の趣旨と範囲は、本明細書内の特定の説明に限定されるものではない。
【０１７０】
なお、本発明は、上記した実施形態に限定されるものではなく、本発明の要旨を逸脱しない範囲内において種々変更を加え得ることは勿論である。以下、その実施態様１〜２８について説明する。
【０１７１】
〔実施態様１〕
第１の画像形成装置（図１に示す画像形成装置１００）と、第２の画像形成装置（図１に示す画像形成装置１０１）とが通信可能な画像形成システムであって、前記第２の画像形成装置は、原稿を読み取る読取り手段と、前記読取り手段で読み取られた原稿の画像情報を前記第１の画像形成装置に送信する送信手段と、前記第１の画像形成装置から転送される印刷データを印刷部で印刷させる制御手段（図１に示す画像形成装置１０１のコントローラ部１１０が実行する、例えば図１６に示すステップＳ７１６）とを有し、前記第１の画像形成装置は、原稿を読み取る読取り手段と、前記読取り手段で読み取られた原稿の画像情報を解析して、前記画像情報に含まれている識別情報に対応する電子文書を検索する検索手段（図１に示す画像形成装置１００のコントローラ部１１０による例えば図１６に示すステップＳ７０９）と、前記検索手段で検索された電子文書を印刷部が印刷可能な印刷データに変換する変換手段（図１に示す画像形成装置１００のコントローラ部１１０）とを有し、前記第１の画像形成装置は、前記第２の画像形成装置からの画像情報に基づいて、前記検索手段によって原稿の画像情報を解析し、識別情報に対応する電子文書を検索し、前記変換手段によって該検索された電子文書を前記第２の画像形成装置の印刷部が印刷可能な印刷データに変換し、該印刷データを前記第２の画像形成装置に転送するサービス機能（図１に示す画像形成装置１００のコントローラ部１１０が実行する、例えば図１６に示すステップＳ７１５）を備えることを特徴とする画像形成システム。
【０１７２】
これにより、画像形成装置１０１は、原稿画像を読み取って得られる画像情報を特定機能処理、例えば電子文書の検索機能と、該検索される電子文書の印刷機能を備える画像形成装置１００に転送し、画像形成装置１００で検索された電子文書を画像形成装置１０１が印刷可能な印刷データに変換された後、該印刷データを画像形成装置１００から受信して印刷可能となり、画像形成装置１００が備える特定機能処理を利用した印刷処理を自在に行える。
【０１７３】
〔実施態様２〕
第１の画像形成装置（図１７に示す画像形成装置１００）と、第２の画像形成装置（図１７に示す画像形成装置１０１）と、外部情報機器とが通信可能な画像形成システムであって、前記第２の画像形成装置は、原稿を読み取る読取り手段と、前記読取り手段で読み取られた原稿の原稿情報を前記第１の画像形成装置に送信する送信手段と、前記第１の画像形成装置から転送される印刷データを印刷部で印刷させる制御手段（図１７に示す画像形成装置１０１のコントローラ部１１が実行する、図２０に示すステップＳ８１７）とを有し、前記第１の画像形成装置は、原稿を読み取る読取り手段（図１７に示す画像形成装置１００のスキャナユニット２１０）と、前記読取り手段で読み取られた原稿の画像情報を解析して、前記画像情報に含まれている識別情報に対応する電子文書を検索する検索手段（図１７に示す画像形成装置１００のコントローラ部１１０が実行する、図２０に示すステップＳＳ８０９〜Ｓ８１１）と、前記第２の画像形成装置からの画像情報に基づいて、前記検索手段によって原稿の画像情報を解析し、識別情報に対応する電子文書を検索し、該検索された電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行手段（図１７に示す画像形成装置１００のコントローラ部１１０が実行する、図２０に示すステップＳＳ８１３〜Ｓ８１５）とを有し、前記外部情報機器は、前記第１の画像形成装置からの変換処理の要求に基づいて前記電子文書を前記第１の画像形成装置の印刷部が印刷可能な印刷データへ変換する変換手段と、前記変換手段により変換された印刷データを前記第１の画像形成装置に転送する転送手段とを備えることを特徴とする画像形成システム。
【０１７４】
これにより、画像形成装置１０１は、原稿画像を読み取って得られる画像情報を特定機能処理、例えば電子文書の検索機能と、該検索される電子文書の印刷機能を備える画像形成装置１００に転送し、画像形成装置１００で検索された電子文書を外部情報機器１０３に転送して、画像形成装置１０１が印刷可能な印刷データへの変換処理を要求し、該外部情報機器１０３で変換された印刷データを取得して、該印刷データを画像形成装置１００から受信して印刷可能となり、画像形成装置１００が備える特定機能処理の一部を利用し、外部情報機器１０３の特定機能処理の一部とを利用した印刷処理を自在に行える。
【０１７５】
〔実施態様３〕
第１の画像形成装置（図２１に示す画像形成装置１００）と、第２の画像形成装置（図２１に示す画像形成装置１０１）と、文書管理サーバとが通信可能な画像形成システムであって、前記第２の画像形成装置は、原稿を読み取る読取り手段と、前記読取り手段で読み取られた原稿の画像情報を前記第１の画像形成装置に送信する送信手段と、前記第１の画像形成装置から転送される印刷データを印刷部で印刷させる制御手段（図２１に示す画像形成装置１０１のコントローラ１１０による、例えば図２２に示すステップＳ９１６）とを有し、文書管理サーバ（図２１に示す文書管理サーバ１０２）は、画像情報に含まれている識別情報に対応する電子文書を検索する検索手段（図２１に示す文書管理サーバ１０２内のコントローラ）と、前記検索手段で検索された電子文書を前記第１の画像形成装置に転送する転送手段（図２１に示す文書管理サーバ１０２内のコントローラ）とを備え、前記第１の画像形成装置（図２１に示す画像形成装置１００）は、原稿を読み取る読取り手段（図２１に示す画像形成装置１００内のスキャナユニット２１０）と、前記読取り手段により読み取られた原稿の画像情報に基づいて、前記文書管理サーバに対して、電子文書検索要求を行う要求手段（図２１に示す画像形成装置１００内のコントローラ部１１０が実行する、例えば図２２に示すステップＳ９１１）と、前記文書管理サーバから取得される検索された電子文書を印刷部が印刷可能な印刷データに変換する変換手段（図２１に示す画像形成装置１００内のコントローラ部１１０が実行する、例えば図２２に示すステップＳ９１２〜Ｓ９１４）とを有し、前記第１の画像形成装置は、前記第２の画像形成装置からの画像情報を解析し、前記要求手段によって画像情報に含まれている識別情報に対応する電子文書の検索を前記文書管理サーバに要求し、前記文書管理サーバから転送された電子文書を前記変換手段により前記第１の画像形成装置の印刷部が印刷可能な印刷データに変換して、該印刷データを前記第２の画像形成装置に転送するサービス機能（図２１に示す画像形成装置１００内のコントローラ部１１０が実行する、例えば図２２に示すステップＳ９１５）を有することを特徴とする画像形成システム。
【０１７６】
これにより、画像形成装置１０１は、画像形成装置１００が備える第１の機能処理、例えばファイル管理される画像データを検索シートで検索した場合に、画像形成装置１００で検索できない場合でも、文書管理サーバ１０２に問い合わせて検索して、外部の文書管理サーバ１０２のファイル検索機能処理を利用して、要求されているファイルを文書管理サーバ１０２より取得して、画像形成装置１０１が印刷可能な印刷データに変換することで、オリジナルの電子文書を再現して印刷データを生成する一連の機能を画像形成装置１００に代行させて、画像形成装置１００と同等の機能処理をネットワーク上の共有サービスとして利用することができる。
【０１７７】
〔実施態様４〕
第１の画像形成装置（図１７，図２１に示す画像形成装置１００）と、第２の画像形成装置（図１７，図２１に示す画像形成装置１０１）と、文書管理サーバ（図２１に示す文書管理サーバ１０２）と、外部情報機器（図１７に示す外部情報機器１０３）とが通信可能な画像形成システムであって、前記第２の画像形成装置は、原稿を読み取る読取り手段と、前記読取り手段で読み取られた原稿の画像情報を前記第１の画像形成装置に送信する送信手段と、前記第１の画像形成装置から転送される印刷データを印刷部で印刷させる制御手段（図２１に示す画像形成装置１００内のコントローラ部１１０が実行する、例えば図２２に示すステップＳ９１６）とを有し、文書管理サーバは、画像情報に含まれている識別情報に対応する電子文書を検索する検索手段（図２１に示す画像形成装置１００のコントローラ部１１０が実行する、例えば図２２に示すステップＳ９０９）と、前記検索手段で検索された電子文書を前記第１の画像形成装置に転送する転送手段（図２１に示す画像形成装置１００のコントローラ部１１０が実行する、例えば図２２に示すステップＳ９１５）とを備え、前記第１の画像形成装置は、原稿を読み取る読取り手段（図２１に示す画像形成装置１００のスキャナユニット２１０）と、前記読取り手段により読み取られた原稿の画像情報に基づいて、前記文書管理サーバに対して、電子文書検索要求を行う要求手段（図２１に示す画像形成装置１００のコントローラ部１１０が実行する、例えば図２２に示すステップＳ９１１）と、前記第２の画像形成装置からの画像情報を解析し、前記要求手段によって画像情報に含まれている識別情報に対応する電子文書の検索を前記文書管理サーバに要求し、前記文書管理サーバで検索される電子文書を取得して、該電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行手段（図２１に示す画像形成装置１００のコントローラ部１１０が実行する、例えば図２２に示すステップＳ９１５および図２０に示すステップＳ８１６）とを備え、前記外部情報機器は、前記第１の画像形成装置からの変換処理の要求に基づいて前記電子文書を前記第１の画像形成装置の印刷部が印刷可能な印刷データへ変換する変換手段（図１７に示す外部情報機器１０３のコントローラ部１７０による図示しない変換処理ステップ）と、前記変換手段により変換された印刷データを前記第１の画像形成装置に転送する転送手段（図１７に示す外部情報機器１０３のコントローラ部１７０による図示しない転送処理ステップ）とを備えることを特徴とする画像形成システム。
【０１７８】
これにより、画像形成装置１０１は、画像形成装置１００が備える特定機能処理、例えば電子文書の検索機能を備えていない場合に、画像形成装置１００で検索できない場合でも、文書管理サーバ１０２に問い合わせて検索して、外部の文書管理サーバ１０２のファイル検索機能処理を利用して、画像形成装置１０１から要求されている電子文書を文書管理サーバ１０２より取得して、画像形成装置１０１が印刷可能な印刷データに変換することで、オリジナルの電子文書を印刷データに変換する一連の機能を画像形成装置１００に代行させて、画像形成装置１００と同等の機能処理をネットワーク上の共有サービスとして利用したり、あるいは、画像形成装置１０１は、画像形成装置１００が備える電子文書を画像形成装置１００で検索できない場合でも、文書管理サーバ１０２に問い合わせて検索して、外部の文書管理サーバ１０２の電子文書検索機能処理を利用して、要求されている電子文書を文書管理サーバ１０２より取得して、画像形成装置１０１が印刷可能な印刷データに変換することで、オリジナルの電子文書を印刷するための印刷データへ変換する一連の機能を画像形成装置１００に代行させて、画像形成装置１００と同等の機能処理をネットワーク上の共有サービスとして利用したりすることができる。
【０１７９】
〔実施態様５〕
前記第１の画像形成装置が備える前記印刷部は、電子文書を検索し、該検索された電子文書を前記第１の画像形成装置の印刷部が印刷可能な印刷データに変換するための指示を行うサービス要求シートを印刷することを特徴とする実施態様１〜４のいずれかに記載の画像形成システム。
【０１８０】
これにより、電子文書を検索するための機能処理を利用するためのサービス要求シートを作成して、第２の画像形成装置や他の画像形成装置での検索指示シートして利用することができる。
【０１８１】
〔実施態様６〕
他の画像形成装置と通信可能な画像形成装置であって、原稿を読み取る読取り手段（図１に示す画像形成装置１００のスキャナユニット２１０）と、前記読取り手段によって読み取られた原稿の画像情報を解析して、画像情報に含まれている識別情報に対応する電子文書を検索する検索手段（図１に示す画像形成装置１００のコントローラ部１１０による例えば図１６に示すステップＳ７０９）と、前記検索手段で検索された電子文書を印刷部が印刷可能な印刷データに変換する変換手段（図１に示す画像形成装置１００のコントローラ部１１０）とを有し、前記他の画像形成装置からの画像情報に基づいて、前記検索手段によって電子文書を検索し、前記変換手段によって該検索された電子文書を前記印刷部が印刷可能な印刷データに変換して、該印刷データを前記他の画像形成装置に転送するサービス機能（図１に示す画像形成装置１００のコントローラ部１１０が実行する、例えば図１６に示すステップＳ７１５）を備えることを特徴とする画像形成装置。
【０１８２】
これにより、画像形成装置１０１は、画像形成装置１００が備える電子文書の検索機能により電子文書を検索して、検索された電子文書を印刷データに変換する機能を代行させて、画像形成装置１００と同等の機能処理をネットワーク上の共有サービスとして利用することができる。
【０１８３】
〔実施態様７〕
外部情報機器と、他の画像形成装置と通信可能な画像形成装置であって、原稿を読み取る読取り手段（図１７に示す画像形成装置１００のスキャナユニット２１０）と、前記読取り手段で読み取られた原稿の画像情報を解析して、前記画像情報に含まれている識別情報に対応する電子文書を検索する検索手段（図１７に示す画像形成装置１００のコントローラ部１１０が実行する、図２０に示すステップＳＳ８０９〜Ｓ８１１）と、前記他の画像形成装置からの画像情報に基づいて、電子文書を検索し、該検索された電子文書を前記他の画像形成装置が印刷可能な印刷データへの変換処理を外部情報機器に要求し、前記外部情報機器から変換された前記他の画像形成装置が印刷可能な印刷データを取得して、該印刷データを前記他の画像形成装置に転送するサービス機能代行手段（図１７に示す画像形成装置１００のコントローラ部１１０が実行する、図２０に示すステップＳＳ８１３〜Ｓ８１５）とを備えることを特徴とする画像形成装置。
【０１８４】
これにより、画像形成装置１０１は、画像形成装置１００が備える電子文書の検索機能により、検索した電子文書を画像形成装置１００で印刷可能な印刷データに変換する機能を備えていない場合でも、外部情報機器が備える電子文書から印刷データへの変換機能処理を利用して、画像形成装置１０１が印刷可能な印刷データに変換することで、電子文書を印刷可能な印刷データに変換する一連の機能を画像形成装置１００と外部情報機器とに代行させて、画像形成装置１００と同等の機能処理をネットワーク上の共有サービスとして利用することができる。
【０１８５】
〔実施態様８〕
文書管理サーバと、他の画像形成装置と通信可能な画像形成装置であって、原稿を読み取る読取り手段（図２１に示す画像形成装置１００内のスキャナユニット２１０）と、前記文書管理サーバから取得される電子文書を印刷部が印刷可能な印刷データに変換する変換手段（図２１に示す画像形成装置１００内のコントローラ部１１０が実行する、例えば図２２に示すステップＳ９１２〜Ｓ９１４）と、前記他の画像形成装置からの画像情報に基づいて、前記文書管理サーバに対して、電子文書検索要求を行う要求手段（図２１に示す画像形成装置１００内のコントローラ部１１０が実行する、例えば図２２に示すステップＳ９１１）と、前記文書管理サーバによって検索された電子文書を前記変換手段により前記他の画像形成装置の印刷部が印刷可能な印刷データに変換して転送するサービス機能代行手段（図２１に示す画像形成装置１００内のコントローラ部１１０が実行する、例えば図２２に示すステップＳ９１５）とを有することを特徴とする画像形成装置。
【０１８６】
これにより、画像形成装置１０１は、画像形成装置１００が備える電子文書の検索機能により要求されている電子文書を検索できない場合でも、文書管理サーバ１０２に問い合わせて検索して、外部の文書管理サーバ１０２の電子文書の検索機能処理を利用して、要求されている電子文書を文書管理サーバ１０２より取得して、画像形成装置１０１が印刷可能な印刷データに変換することで、電子文書を印刷データに変換する一連の機能を画像形成装置１００に代行させて、画像形成装置１００と同等の機能処理をネットワーク上の共有サービスとして利用することができる。
【０１８７】
〔実施態様９〕
外部情報機器と、文書管理サーバと、他の画像形成装置と通信可能な画像形成装置であって、外部情報機器と、文書管理サーバと、他の画像形成装置と通信可能な画像形成装置であって、原稿を読み取る読取り手段（図２１に示す画像形成装置１００のスキャナユニット２１０）と、前記他の画像形成装置からの画像情報に基づいて、文書管理サーバに対して、電子文書検索要求を行う要求手段（図２１に示す画像形成装置１００のコントローラ部１１０が実行する、例えば図２２に示すステップＳ９１１）と、前記文書管理サーバで検索される電子文書を取得して、該電子文書を前記他の画像形成装置の印刷部が印刷可能な印刷データへの変換処理を外部情報機器に要求し、前記外部情報機器から前記他の画像形成装置の印刷部が印刷可能な印刷データを取得して、該印刷データを前記他の画像形成装置に転送するサービス機能代行手段（図２１に示す画像形成装置１００のコントローラ部１１０が実行する、例えば図２２に示すステップＳ９１５および図２０に示すステップＳ８１６）と備えることを特徴とする画像形成装置。
【０１８８】
これにより、画像形成装置１０１は、画像形成装置１０１から受信した画像情報から解析される識別情報に基づいて、画像形成装置１００が備える電子文書検索機能により電子文書を画像形成装置１００で検索できない場合でも、文書管理サーバ１０２に問い合わせて検索して、外部の文書管理サーバ１０２の電子文書検索機能処理を利用して、要求されている電子文書を文書管理サーバ１０２より取得して、画像形成装置１０１が印刷可能な電子文書に変換するか、該変換が実行できない場合でも、外部情報機器に画像形成装置１０１が印刷可能な印刷データへの変換処理を要求して、該外部情報機器で変換された印刷データを取得して、画像形成装置１０１へ転送することで、電子文書を検索して印刷可能な印刷データに変換する一連の機能を画像形成装置１００に代行させて、画像形成装置１００と同等の機能処理をネットワーク上の共有サービスとして利用したりすることができる。
【０１８９】
〔実施態様１０〕
第１の画像形成装置と、第２の画像形成装置とが通信可能な画像形成システムにおける文書処理方法であって、原稿を読み取る原稿読取り手段を備える前記第２の画像形成装置は、前記原稿読取り手段で読み取られた原稿の画像情報を前記第１の画像形成装置に送信する送信ステップと、前記第１の画像形成装置から転送される印刷データを印刷部で印刷させる制御ステップ（図１に示す画像形成装置１０１のコントローラ部１１０が実行する、例えば図１６に示すステップＳ７１６）とを有し、原稿を読み取る原稿読取り手段を備える前記第１の画像形成装置は、前記原稿読取り手段で読み取られた原稿の画像情報を解析して、前記画像情報が含まれている識別情報に対応する電子文書を検索する検索ステップ（図１に示す画像形成装置１００のコントローラ部１１０による例えば図１６に示すステップＳ７０９）と、前記検索ステップで検索された電子文書を印刷部が印刷可能な印刷データに変換する変換ステップ（図１に示す画像形成装置１００のコントローラ部１１０による例えば図１６に示すステップＳ７１３）と、前記第１の画像形成装置は、前記第２の画像形成装置からの画像情報に基づいて、前記検索ステップによって該検索された電子文書を前記第２の画像形成装置の印刷部が印刷可能な印刷データに変換し、該印刷データを前記第２の画像形成装置に転送するサービス機能（図１に示す画像形成装置１００のコントローラ部１１０が実行する、例えば図１６に示すステップＳ７１５）を備えることを特徴とする文書処理方法。
【０１９０】
これにより、実施態様１と同等の効果が期待できる。
【０１９１】
〔実施態様１１〕
第１の画像形成装置と、第２の画像形成装置と、外部情報機器とが通信可能な画像形成システムにおける文書処理方法であって、原稿を読み取る原稿読取り手段を備える前記第２の画像形成装置は、前記原稿読取り手段で読み取られた原稿の原稿情報を前記第１の画像形成装置に送信する送信ステップと、前記第１の画像形成装置から転送される印刷データを印刷部で印刷させる制御ステップ（図１７に示す画像形成装置１０１のコントローラ部１１が実行する、図２０に示すステップＳ８１７）とを有し、原稿を読み取る原稿読取り手段を備える前記第１の画像形成装置は、前記原稿読取り手段で読み取られた原稿の画像情報を解析して、前記画像情報に含まれている識別情報に対応する電子文書を検索する検索ステップ（図１７に示す画像形成装置１００のコントローラ部１１０が実行する、図２０に示すステップＳＳ８０９〜Ｓ８１１）と、前記第２の画像形成装置からの画像情報に基づいて、前記検索ステップによって原稿の画像情報を解析し、識別情報に対応する電子文書を検索し、該検索された電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行ステップ（図１７に示す画像形成装置１００のコントローラ部１１０が実行する、図２０に示すステップＳＳ８１３〜Ｓ８１５）とを有し、前記外部情報機器は、前記第１の画像形成装置から変換処理の要求に基づいて前記電子文書を前記第１の画像形成装置の印刷部が印刷可能な印刷データへ変換する変換ステップ（図１７に示す外部情報機器１０３のコントローラ部１７００が実行する、図示しないファイル変換処理ステップ）と、前記変換ステップにより変換された印刷データを前記第１の画像形成装置に転送する転送ステップ（図１７に示す外部情報機器１０３のコントローラ部１７００が実行する、図示しないファイル転送処理ステップ）とを備えることを特徴とする文書処理方法。
【０１９２】
これにより、実施態様２と同等の効果が期待できる。
【０１９３】
〔実施態様１２〕
第１の画像形成装置と、第２の画像形成装置と、文書管理サーバとが通信可能な画像形成システムにおける文書処理方法であって、原稿を読み取る原稿読み取り手段を備える前記第２の画像形成装置は、前記原稿読取り手段で読み取られた原稿の画像情報を第１の画像形成装置に送信する送信ステップと、前記第１の画像形成装置から転送される印刷データを印刷部で印刷させる制御ステップ（図２１に示す画像形成装置１０１のコントローラ１１０による、例えば図２２に示すステップＳ９１６）とを有し、文書管理サーバは、画像情報に含まれている識別情報に対応する電子文書を検索する検索ステップ（図２１に示す文書管理サーバ１０２内のコントローラによる図示しない検索処理ステップ）と、前記検索ステップで検索された電子文書を前記第１の画像形成装置に転送する転送ステップ（図２１に示す文書管理サーバ１０２内のコントローラによる図示しない転送処理ステップ）とを備え、原稿を読み取る原稿読取り手段を備える前記第１の画像形成装置は、前記原稿読取り手段により読み取られた原稿の画像情報に基づいて、前記文書管理サーバに対して、電子文書検索要求を行う要求ステップと、前記文書管理サーバから取得される電子文書を印刷部が印刷可能な印刷データに変換する変換ステップ（図２１に示す画像形成装置１００内のコントローラ部１１０が実行する、例えば図２２に示すステップＳ９１３）とを有し、前記第１の画像形成装置は、前記第２の画像形成装置からの画像情報を解析し、前記要求ステップによって画像情報が含まれている識別情報に対応する電子文書の検索を前記文書管理サーバに要求し、前記文書管理サーバから転送された電子文書を前記変換ステップにより前記第１の画像形成装置の印刷部が印刷可能な印刷データに変換して、該印刷データを前記第２の画像形成装置に転送するサービス機能（図２１に示す画像形成装置１００内のコントローラ部１１０が実行する、例えば図２２に示すステップＳ９１５）を有することを特徴とする文書処理方法。
【０１９４】
これにより、実施態様３と同等の効果が期待できる。
【０１９５】
〔実施態様１３〕
第１の画像形成装置と、第２の画像形成装置と、文書管理サーバと、外部情報機器とが通信可能な画像形成システムにおける文書処理方法であって、原稿を読み取る読取り手段を備える前記第２の画像形成装置は、前記読取り手段で読み取られた原稿の画像情報を前記第１の画像形成装置に送信する送信ステップと、前記第１の画像形成装置から転送される印刷データを印刷部で印刷させる制御ステップ（図２１に示す画像形成装置１００内のコントローラ部１１０が実行する、例えば図２２に示すステップＳ９１６）とを有し、文書管理サーバは、画像情報に含まれている識別情報に対応する電子文書を検索する検索ステップ（図２１に示す文書管理サーバ１０２のコントローラ部による図示しない検索ステップ）と、前記検索ステップで検索された電子文書を前記第１の画像形成装置に転送する転送ステップ（図２１に示す文書管理サーバ１０２のコントローラ部による図示しない転送ステップ）とを備え、原稿を読み取る原稿読取り手段を備える前記第１の画像形成装置は、前記原稿読取り手段により読み取られた原稿の画像情報に基づいて、前記文書管理サーバに対して、電子文書検索要求を行う要求ステップ（図２１に示す画像形成装置１００のコントローラ部１１０が実行する、例えば図２２に示すステップＳ９１１）と、前記第２の画像形成装置からの画像情報を解析して、前記要求ステップによって画像情報に含まれている識別情報に対応する電子文書の検索を前記文書管理サーバに要求し、前記文書管理サーバで検索される電子文書を取得して、該電子文書から前記第１の画像形成装置の印刷部が印刷可能な印刷データへの変換処理を外部情報機器に要求し、前記外部情報機器から前記第１の画像形成装置の印刷部が印刷可能な印刷データを取得して、該印刷データを前記第２の画像形成装置に転送するサービス機能代行ステップ（図２１に示す画像形成装置１００のコントローラ部１１０が実行する、例えば図２２に示すステップＳ９１５および図２０に示すステップＳ８１６）とを備え、前記外部情報機器は、前記第１の画像形成装置からの変換処理の要求に基づいて前記電子文書を前記第１の画像形成装置の印刷部が印刷可能な印刷データへ変換する変換ステップ（図１７に示す外部情報機器１０３のコントローラ部１７０による図示しない変換処理ステップ）と、前記変換ステップにより変換された印刷データを前記第１の画像形成装置に転送する転送ステップ（図１７に示す外部情報機器１０３のコントローラ部１７０による図示しない転送処理ステップ）とを備えることを特徴とする文書処理方法。
【０１９６】
これにより、実施態様４と同等の効果が期待できる。
【０１９７】
〔実施態様１４〕
前記第１の画像形成装置が備える前記印刷部は、電子文書を検索し、該検索された電子文書を前記第１の画像形成装置の印刷部が印刷可能な印刷データに変換するための指示を行うサービス要求シートを印刷することを特徴とする請求項１０〜１３のいずれかに記載の文書処理方法。
【０１９８】
これにより、実施態様５と同等の効果が期待できる。
【０１９９】
〔実施態様１５〕
原稿を読み取る原稿読取り手段を備え、他の画像形成装置と通信可能な画像形成装置における文書処理方法であって、前記原稿読取り手段によって読み取られた画像情報を解析して、前記画像情報に含まれている識別情報に対応する電子文書を検索する検索ステップ（図１に示す画像形成装置１００のコントローラ部１１０による例えば図１６に示すステップＳ７０９）と、前記検索ステップで検索された電子文書を印刷部が印刷可能な印刷データに変換する変換ステップ（図１に示す画像形成装置１００のコントローラ部１１０による例えば図１６に示すステップＳ７１３）とを有し、前記他の画像形成装置からの画像情報に基づいて、前記検索ステップによって電子文書を検索し、前記変換ステップによって該検索された電子文書を前記印刷部が印刷可能な印刷データに変換して、該印刷データを他の画像形成装置に転送するサービス機能（図１に示す画像形成装置１００のコントローラ部１１０が実行する、例えば図１６に示すステップＳ７１５）を備えることを特徴とする文書処理方法。
【０２００】
これにより、実施態様６と同等の効果が期待できる。
【０２０１】
〔実施態様１６〕
原稿を読み取る原稿読取り手段を備え、外部情報機器と、他の画像形成装置と通信可能な画像形成装置における文書処理方法であって、前記原稿読取り手段で読み取られた原稿の画像情報を解析して、前記画像情報に含まれている識別情報に対応する電子文書を検索する検索ステップ（図１７に示す画像形成装置１００のコントローラ部１１０が実行する、図２０に示すステップＳＳ８０９〜Ｓ８１１）と、前記他の画像形成装置からの画像情報に基づいて、前記電子文書を検索し、該検索された電子文書を他の画像形成装置が印刷可能な印刷データへの変換処理を外部情報機器に要求し、前記外部情報機器から変換された前記他の画像形成装置が印刷可能な印刷データを取得して、該印刷データを前記他の画像形成装置に転送するサービス機能代行ステップ（図１７に示す画像形成装置１００のコントローラ部１１０が実行する、図２０に示すステップＳＳ８１３〜Ｓ８１５）とを備えることを特徴とする文書処理方法。
【０２０２】
これにより、実施態様７と同等の効果が期待できる。
【０２０３】
〔実施態様１７〕
原稿を読み取る読取り部を備え、文書管理サーバと、他の画像形成装置と通信可能な画像形成装置における文書処理方法であって、前記文書管理サーバから取得される電子文書を印刷部が印刷可能な印刷データに変換する変換ステップ（図２１に示す画像形成装置１００内のコントローラ部１１０が実行する、例えば図２２に示すステップＳ９１２〜Ｓ９１４）と、前記他の画像形成装置からの画像情報に基づいて、前記文書管理サーバに対して、電子文書検索要求を行う要求ステップ（図２１に示す画像形成装置１００内のコントローラ部１１０が実行する、例えば図２２に示すステップＳ９１１）と、前記文書管理サーバによって検索された電子文書を前記変換ステップにより前記他の画像形成装置の印刷部が印刷可能な印刷データに変換して転送するサービス機能代行ステップ（図２１に示す画像形成装置１００内のコントローラ部１１０が実行する、例えば図２２に示すステップＳ９１５）とを有することを特徴とする文書処理方法。
【０２０４】
これにより、実施態様８と同等の効果が期待できる。
【０２０５】
〔実施態様１８〕
原稿を読み取る読取り部を備え、外部情報機器と、文書管理サーバと、他の画像形成装置と通信可能な画像形成装置における文書処理方法であって、前記他の画像形成装置からの画像情報に基づいて、文書管理サーバに対して、電子文書検索要求を行う要求ステップ（図２１に示す画像形成装置１００のコントローラ部１１０が実行する、例えば図２２に示すステップＳ９１１）と、前記文書管理サーバで検索される電子文書を取得して、該電子文書を前記他の画像形成装置の印刷部が印刷可能な印刷データへの変換処理を外部情報機器に要求し、前記外部情報機器から前記他の画像形成装置の印刷部が印刷可能な印刷データを取得して、該印刷データを他の画像形成装置に転送するサービス機能代行ステップ（図２１に示す画像形成装置１００のコントローラ部１１０が実行する、例えば図２２に示すステップＳ９１５および図２０に示すステップＳ８１６）と備えることを特徴とする文書処理方法。
【０２０６】
これにより、実施態様９と同等の効果が期待できる。
【０２０７】
〔実施態様１９〕
実施態様１０〜１８のいずれかに記載の文書処理方法を実行させるためのプログラムを格納したことを特徴とするコンピュータが読み取り可能な記憶媒体。
【０２０８】
これにより、実施態様１０〜１８と同等の効果が期待できる。
【０２０９】
〔実施態様２０〕
実施態様１０〜１８のいずれかに記載の文書処理方法を実行させることを特徴とするプログラム。
【０２１０】
これにより、実施態様１０〜１８と同等の効果が期待できる。
【０２１１】
〔実施態様２１〕
オリジナル電子文書を文書管理システムに保存し、前記保存した電子文書が保存されている場所を示すアドレス情報を、読み取り装置で解析可能な情報として埋め込み、第１の画像形成装置で印刷する機能と、印刷された文書を読み取り、アドレス情報を解析してオリジナル電子文書を検索して印刷を行う機能とに対して、前記第１の画像形成装置とは異なる、第２の画像形成装置において、原稿を読み取ることが可能な読み取り手段と、読み取った原稿データを前記第１の画像形成装置へ送信する第１の送信手段と、前記第１の画像形成装置で前記原稿データを受信する受信手段と、前記原稿データ内に含まれたアドレス情報を読み取る原稿データ解析手段と、それに該当するオリジナル電子文書を検索する検索手段と、検索後、オリジナル電子文書の文書フォーマットが、前記第２の画像形成装置にて印刷不可能なフォーマットであった場合に、印刷可能なフォーマットに変換する変換手段と、前記変換手段によって変換されたオリジナル電子文書を前記第２の画像形成装置へ送信する第２の送信手段とを備え、前記第２の送信手段によって戻されたオリジナル電子文書を前記第２の画像形成装置にて印刷する印刷手段を備えることを特徴とする画像形成システム。
【０２１２】
〔実施態様２２〕
オリジナル電子文書を文書管理システムに保存し、前記保存した電子文書が保存されている場所を示すアドレス情報を、読み取り装置で解析可能な情報として埋め込み、第１の画像形成装置で印刷する機能と、印刷された文書を読み取り、アドレス情報を解析してオリジナル電子文書を検索して印刷を行う機能とに対して、前記第１の画像形成装置とは異なる、第２の画像形成装置において、原稿を読み取ることが可能な読み取り手段と、読み取った原稿データを前記第１の画像形成装置へ送信する第１の送信手段と、前記第１の画像形成装置で前記原稿データを受信する受信手段と、前記原稿データ内に含まれたアドレス情報を読み取る原稿データ解析手段と、それに該当するオリジナル電子文書を検索する検索手段と、検索後、オリジナル電子文書の文書フォーマットが、前記第２の画像形成装置にて印刷不可能なフォーマットであった場合に、印刷可能なフォーマットに変換する変換手段を持つ情報機器に対してオリジナル電子文書の変換を依頼し、前記変換手段によって変換されたオリジナル電子文書を前記第２の画像形成装置へ送信する第２の送信手段を備え、前記第２の送信手段によって戻されたオリジナル電子文書を前記第２の画像形成装置にて印刷する印刷手段を備えることを特徴とする画像形成システム。
【０２１３】
〔実施態様２３〕
前記変換手段により前記第２の画像形成装置にて印刷可能なフォーマットに変換できなかった場合に、前記第２の画像形成装置に対してエラーを通知する通知手段を有することを特徴とする実施態様２１または２２に記載の画像形成システム。
【０２１４】
〔実施態様２４〕
前記変換手段により前記第２の画像形成装置にて印刷可能なフォーマットに変換できなかった場合に、他の情報機器に対し変換要求を出すことを特徴とする実施態様２１または２２に記載の画像形成システム。
【０２１５】
〔実施態様２５〕
変換できる情報機器が発見できなかった場合に、前記第２の画像形成装置に対してエラーを通知する通知手段を有することを特徴とする実施態様２４に記載の画像形成システム。
【０２１６】
〔実施態様２６〕
前記文書管理システムは、前記第１の画像形成装置内に存在することを特徴とする実施態様２１または２２に記載の画像形成システム。
【０２１７】
〔実施態様２７〕
前記文書管理システムは、外部の情報機器上に存在することを特徴とする実施態様２１または２２に記載の画像形成システム。
【０２１８】
〔実施態様２８〕
前記読み取り装置で解析可能な情報は、バーコード情報であることを特徴とする実施態様２１または２２に記載の画像形成システム。
【０２１９】
上記実施態様２１〜２８によれば、特有の機能を備えていなくとも、備えた画像形成装置が機能(サービス)としてその機能を公開し、従来の一般機器から利用することを可能としたため、ユーザの利便性が向上する。また、印刷不可能なファイルフォーマットであっても、そのファイルフォーマットに変換できる処理手段を持つ画像形成装置もしくは情報機器で変換を行うことで、印刷が可能になり、ユーザの利便性が向上する。
【図面の簡単な説明】
【０２２０】
【図１】本発明の第１実施形態を示す画像形成装置を適用可能な画像処理システムの構成を説明するブロック図である。
【図２】図１に示した制御装置の機能構成を説明するブロック図である。
【図３】図１に示したリーダ装置内に備えられたリーダ画像処理部の詳細な構成を示すブロック図である。
【図４】図２に示したスキャナＩ／Ｆの画像処理構成を示すブロック図である。
【図５】図２に示したプリンタＩ／Ｆの画像処理を担う部分の詳細な構成を示すブロック図である。
【図６】図１に示した第１の画像形成装置におけるＧｒａｐｈｉｃ  Ｐｒｏｃｅｓｓｏｒの詳細な構成を示すブロック図である。
【図７】図１に示した第２の画像形成装置における、Ｇｒａｐｈｉｃ  Ｐｒｏｃｅｓｓｏｒの詳細な構成を示すブロック図である。
【図８】図２に示したハードディスク内の格納領域に関して説明するための図である。
【図９】図８に示したＢｏｘデータ領域で記憶されるデータファイルを説明する図である。
【図１０】本発明に係る画像形成装置の操作部の表示部に表示される基本画面を示す説明図である。
【図１１】図１０に示した表示画面に表示される公開サービス検索画面の一例を示す図である。
【図１２】図１１に示した公開サービス検索画面に対する詳細画面の一例を示す図である。
【図１３】図１１に示した公開サービス検索画面に対する詳細画面の一例を示す図である。
【図１４】図１１に示した公開サービス検索画面に対する詳細画面の一例を示す図である。
【図１５】図１１に示した公開サービス検索画面に対する詳細画面の一例を示す図である。
【図１６】本発明に係る画像形成装置における第１のデータ処理手順の一例を示すフローチャートである。
【図１７】本発明の第２実施形態を示す画像形成装置を適用可能な画像形成システムの一例を示すブロック図である。
【図１８】図１７に示したコントローラ部の詳細構成を説明するブロック図である。
【図１９】図１７に示した外部情報機器のＧｒａｐｈｉｃ  Ｐｒｏｃｅｓｓｏｒの詳細な構成を示すブロック図である。
【図２０】本発明に係る画像形成装置における第２のデータ処理手順の一例を示すフローチャートである。
【図２１】本発明の第３実施形態を示す画像形成装置を適用可能な画像形成システムの一例を示すブロック図である。
【図２２】本発明に係る画像形成装置における第３のデータ処理手順の一例を示すフローチャートである。
【図２３】本発明に係る画像形成システムで読み取り可能な各種データ処理プログラムを格納する記憶媒体のメモリマップを説明する図である。
【符号の説明】
【０２２１】
１００，１０１  画像形成装置
１１０  コントローラ部
１５０  操作部
１６０  ハードディスク
【図１】
2006059130.tif 000003
【図２】
2006059130.tif 000004
【図３】
2006059130.tif 000005
【図４】
2006059130.tif 000006
【図５】
2006059130.tif 000007
【図６】
2006059130.tif 000008
【図７】
2006059130.tif 000009
【図８】
2006059130.tif 000010
【図９】
2006059130.tif 000011
【図１０】
2006059130.tif 000012
【図１１】
2006059130.tif 000013
【図１２】
2006059130.tif 000014
【図１３】
2006059130.tif 000015
【図１４】
2006059130.tif 000016
【図１５】
2006059130.tif 000017
【図１６】
2006059130.tif 000018
【図１７】
2006059130.tif 000019
【図１８】
2006059130.tif 000020
【図１９】
2006059130.tif 000021
【図２０】
2006059130.tif 000022
【図２１】
2006059130.tif 000023
【図２２】
2006059130.tif 000024
【図２３】
2006059130.tif 000025